(57)【特許請求の範囲】
【請求項１】
第２のモビリティ管理ネットワーク・エレメントによって、ユーザ機器のショート・メッセージング・サービス（ＳＭＳ）サービング・ノードとしてホーム加入者サーバ（ＨＳＳ）もしくはホーム・ロケーション・レジスタ（ＨＬＲ）に登録するステップと、
前記ユーザ機器が移動通信交換センタ（ＭＳＣ）もしくはビジタ・ロケーション・レジスタ（ＶＬＲ）に登録した場合、前記第２のモビリティ管理ネットワーク・エレメントによって、前記ユーザ機器の前記ＳＭＳサービング・ノードとしての機能を果たす前記第２のモビリティ管理ネットワーク・エレメントを取り消すことに関して前記ＨＳＳもしくはＨＬＲによって送信された通知を受信するステップと、
前記第２のモビリティ管理ネットワーク・エレメントによって、前記ユーザ機器の前記ＳＭＳサービング・ノードとしての機能を果たす前記第２のモビリティ管理ネットワーク・エレメントの前記ＨＳＳもしくは前記ＨＬＲへの前記登録を取り消すステップと、
前記第２のモビリティ管理ネットワーク・エレメントによって、前記ユーザ機器の進化型パケットシステム（ＥＰＳ）サービスを取り消さないステップと、
を備える、通信ネットワークにおけるシグナリング削減方法。
【請求項２】
前記第２のモビリティ管理ネットワーク・エレメントによって、「ＳＭＳ限定」指示を含むユーザ機器のトラッキング・エリア更新要求またはコンバインド・トラッキング・エリア更新要求を受信するステップと、
前記第２のモビリティ管理ネットワーク・エレメントによって、ユーザのＰＳ加入データに従って、ユーザがショート・メッセージ・サービスを使用することを許可されていることを得るステップと、
をさらに備える、請求項１に記載の方法。
【請求項３】
第２のモビリティ管理ネットワーク・エレメントによって、ＳＭＳサービング・ノードとしての機能を果たす前記第２のモビリティ管理ネットワーク・エレメントを取り消すことに関してＨＳＳもしくはＨＬＲによって送信された通知を受信するステップの前に、
ユーザ機器が第３のモビリティ管理ネットワーク・エレメントに登録することを得た後に、前記ＨＳＳもしくはＨＬＲによって、前記ＳＭＳサービング・ノードとしての機能を果たす前記第２のモビリティ管理ネットワーク・エレメントを取り消すことに関する前記通知を前記第２のモビリティ管理ネットワーク・エレメントに送信することを備える、
請求項１または２に記載の方法。
【請求項４】
前記ＨＳＳもしくはＨＬＲによって、ユーザ機器が第３のモビリティ管理ネットワーク・エレメントに登録することを得るステップは、
前記ＨＳＳもしくはＨＬＲによって、ＭＳＣもしくはＶＬＲによって送信され、前記ユーザ機器が前記第３のモビリティ管理ネットワーク・エレメントに登録することを指示する通知を受信し、前記ＨＳＳもしくはＨＬＲによって、前記ユーザ機器が前記第３のモビリティ管理ネットワーク・エレメントに登録することを得ることを備える、請求項３に記載の方法。
【請求項５】
前記ＨＳＳもしくはＨＬＲによって、前記ショート・メッセージ・サービング・ノードとしての前記第２のモビリティ管理ネットワーク・エレメントの前記登録を取り消すために前記第２のモビリティ管理ネットワーク・エレメントに命令する取消タイプ情報要素を含む位置取消要求メッセージを前記第２のモビリティ管理ネットワーク・エレメントに送信するステップを更に備える、請求項１から４のいずれか１項に記載の方法。
【請求項６】
通信ネットワークにおける装置であり、モビリティ管理ネットワーク・エレメントである装置であって、
ユーザ機器のショート・メッセージング・サービス（ＳＭＳ）サービング・ノードとしてホーム加入者サーバ（ＨＳＳ）もしくはホーム・ロケーション・レジスタ（ＨＬＲ）に登録するように構成されているモジュールと、
前記ユーザ機器が移動通信交換センタ（ＭＳＣ）もしくはビジタ・ロケーション・レジスタ（ＶＬＲ）に登録した場合、ＳＭＳ登録取消に関して前記ＨＳＳもしくは前記ＨＬＲによって送信された通知を受信するように構成されているモジュールと、
前記ユーザ機器の前記ＳＭＳサービング・ノードとしての機能を果たす前記モビリティ管理ネットワーク・エレメントの前記ＨＳＳもしくは前記ＨＬＲへの前記登録を取り消すように構成されているモジュールと、
前記ユーザ機器の進化型パケットシステム（ＥＰＳ）サービスを取り消さないように構成されているモジュールと、
を備える装置。
【請求項７】
「ＳＭＳ限定」指示を含むユーザ機器のトラッキング・エリア更新要求もしくはコンバインド・トラッキング・エリア更新要求を受信するように構成されているモジュールと、
ユーザのＰＳ加入データに従って、前記ユーザがショート・メッセージ・サービスを使用することが許可されていることを得るように構成されているモジュールと、
をさらに備える、請求項６に記載の装置。
【請求項８】
前記ＨＳＳもしくは前記ＨＬＲによって送信された通知を受信する場合、前記モジュールは、
情報要素を通じて、前記ＳＭＳサービング・ノードとしての前記モビリティ管理ネットワーク・エレメントの登録の取消を指示するために、前記ＨＳＳもしくはＨＬＲによって送信され、メッセージ中に取消タイプ情報要素を含む位置取消要求メッセージを受信するように構成されている、請求項６または７に記載の装置。
【請求項９】
モビリティ管理ネットワーク・エレメントと、ホーム加入者サーバ（ＨＳＳ）もしくはホーム・ロケーション・レジスタ（ＨＬＲ）とを備えるシステムであって、
前記モビリティ管理ネットワーク・エレメントは、ユーザ機器のショート・メッセージング・サービス（ＳＭＳ）サービング・ノードとして前記ＨＳＳもしくは前記ＨＬＲに登録し、前記ユーザ機器の前記ＳＭＳサービング・ノードとしての機能を果たす前記モビリティ管理ネットワーク・エレメントを取り消すことに関して前記ＨＳＳもしくはＨＬＲによって送信された通知を受信し、前記ユーザ機器の前記ＳＭＳサービング・ノードとしての機能を果たす前記モビリティ管理ネットワーク・エレメントの前記ＨＳＳもしくは前記ＨＬＲへの前記登録を取り消し、前記ユーザ機器の進化型パケットシステム（ＥＰＳ）サービスを取り消さないように構成されており、
前記ＨＳＳもしくは前記ＨＬＲは、前記ユーザ機器が移動通信交換センタ（ＭＳＣ）もしくはビジタ・ロケーション・レジスタ（ＶＬＲ）に登録した場合、前記通知を前記モビリティ管理ネットワーク・エレメントに送信するように構成されているシステム。
【発明の詳細な説明】
【技術分野】
【０００１】
本発明は、通信技術の分野、詳しくは、通信ネットワークにおけるサービス処理方法及び装置に関する。
【背景技術】
【０００２】
従来技術１
異なる３ＧＰＰアクセス技術ネットワークが重なる、または、互いに隣接する領域では、たとえば、ＧＥＲＡＮ（ＧＳＭ（登録商標）  ＥＤＧＥ  Ｒａｄｉｏ  Ａｃｃｅｓｓ  Ｎｅｔｗｏｒｋ、ＧＳＭ（登録商標）／ＥＤＧＥ無線アクセス・ネットワーク）もしくはＵＴＲＡＮ（ＵＭＴＳ  Ｔｅｒｒｅｓｔｒｉａｌ  Ｒａｄｉｏ  Ａｃｃｅｓｓ  Ｎｅｔｗｏｒｋ、地上無線アクセス・ネットワーク）からＥＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、進化型ユニバーサル地上無線アクセス・ネットワーク）に、または、ＥＵＴＲＡＮからＧＥＲＡＮもしくはＵＴＲＡＮにアクセスシステムを変更するたびに、移動体ユーザは、位置更新手順を開始することが必要であり、それによって、コアネットワークおよび無線インターフェースに対してある種の負荷を持ち込む。異なった３ＧＰＰアクセスシステム間でのシグナリング負荷を回避し、かつ、モビリティ管理機構を最適化するために、３ＧＰＰは、異なったアクセス・ネットワークの間のＵＥのモビリティ管理手順を削減するように、ＩＳＲ（アイドル・モード・シグナリング削減、シグナリング削減またはシグナリング制限）機構を提案する。
【０００３】
対応するＩＳＲ機構の主な考え方は次のとおりである。移動体端末がＳＧＳＮ（Ｓｅｒｖｉｎｇ  ＧＰＲＳ  Ｓｕｐｐｏｒｔ  Ｎｏｄｅ、サービングＧＰＲＳサポート・ノード）およびＭＭＥ（Ｍｏｂｉｌｉｔｙ  Ｍａｎａｇｅｍｅｎｔ  Ｅｎｔｉｔｙ、モビリティ管理エンティティ）に順番に登録した後、ＩＳＲ機構が使用可能にされる（すなわち、ＩＳＲがアクティブ化される）ことがあり、このようにして、端末がＳＧＳＮおよびＭＭＥに登録しているときにこの端末が位置しているルート・エリアＲＡおよびトラッキング・エリアＴＡを離れない限り、位置更新手順を開始することは全く必要とされないので、移動体ユーザが２Ｇ／３ＧセルおよびＬＴＥセル内で連続的に変化しても、シグナリング負荷は持ち込まれない。その上、ユーザが位置しているＲＡまたはＴＡが変更されても、ＳＧＳＮおよびＭＭＥが変更されない限り、ＵＥ（ユーザ機器）によって開始されたトラッキング・エリアまたはルート・エリア更新に対して、ＳＧＳＮまたはＭＭＥは、ＨＳＳ（Ｈｏｍｅ  Ｓｕｂｓｒｉｂｅｒ  Ｓｅｒｖｅｒ、ホーム加入者サーバ）またはＨＬＲ（Ｈｏｍｅ  Ｌｏｃａｔｉｏｎ  Ｒｅｇｉｓｔｅｒ、ホーム・ロケーション・レジスタ）に登録することが必要とされない。同時に、ユーザの着呼側サービスが影響されないことを確実なものとするために、ＳＧＷ（Ｓｅｒｖｉｎｇ  ＧＷ、サービング・ゲートウェイ）は、ＩＳＲを使用可能にする移動体ユーザに、マークを付けることが必要であり、ユーザのダウンリンクデータまたはシグナリングを受信するとき、ＳＧＷは、ＳＧＳＮおよびＭＭＥへのページングを同時に開始し、それによって、ユーザが呼び出されることができることを確実なものとする。
【０００４】
本発明を実施するプロセスにおいて、発明者は、従来技術１が少なくとも以下の問題を有することに気付いている。
【０００５】
ＭＭＥが「ＭＭＥ内のＳＭＳ」機能に対応し、すなわち、ＳＭＳ（Ｓｈｏｒｔ  Ｍｅｓｓａｇｉｎｇ  Ｓｅｒｖｉｃｅ、ショート・メッセージ・サービス）サービスの伝送を実行する可能性がある場合、ＭＭＥは、非ブロードキャストＬＡＩ（非ブロードキャスト位置エリア識別子）をユーザ機器に割り付けることを必要とする。これに基づいて、ＭＭＥがＩＳＲ機能をアクティブ化する場合、ユーザが２Ｇ／３Ｇネットワークに戻るとき、２Ｇ／３Ｇネットワーク内のＬＡＩ（ｌｏｃａｔｉｏｎ  ａｒｅａ  ｉｄｅｎｔｉｆｉｅｒ、位置エリア識別子）は、ＭＭＥによって割り付けられた非ブロードキャストＬＡＩとは異なるので、ユーザは、コンバインドＲＡＵ（コンバインド・ルート・エリア更新）手順、または、独立ＬＡＵ（ｌｏｃａｔｉｏｎ  ａｒｅａ  ｕｐｄａｔｅ、位置エリア更新）手順を開始することが常に必要である。その結果、ＩＳＲ機能がアクティブ化されるが、ユーザ機器によって開始されたシグナリングは、削減される可能性がなく、その一方で、ＭＭＥは、ＩＳＲをアクティブ化するので、ダウンリンクデータまたはシグナリングが存在するとき、ＳＧＷは、メッセージを同時にＳＧＳＮおよびＭＭＥに常に送信するか、または、同時にユーザを呼び出すことをＳＧＳＮ／ＭＭＥに要求し、このことは、ＳＧＷとＳＧＳＮ／ＭＭＥとの間のシグナリング負荷を著しく増加させる。同時に、ユーザ機器は、この事例では、ＭＭＥのカバレッジに属するので、ＳＧＳＮは、全くユーザを呼び出す可能性がなく、ページングリソースは、この事例では、全体的に浪費され、このことは、他のユーザのリソース使用に影響を与える。
【０００６】
従来技術２
２重登録機能を有する通信システムにおいて、ユーザ機器が２Ｇまたは３ＧネットワークとＬＴＥ（Ｌｏｎｇ  Ｔｅｒｍ  Ｅｖｏｌｕｔｉｏｎ、ロング・ターム・エボリューション）との間で動く場合、ユーザ機器が新しいサイドに移動したときに、ユーザ機器によって開始されたＲＡＵ（ルート・エリア更新、Ｒｏｕｔｅ  Ａｒｅａ  Ｕｐｄａｔｅ）またはＴＡＵ（トラッキング・エリア更新、ｔｒａｃｋｉｎｇ  ａｒｅａ  ｕｐｄａｔｅ）手順において、ＨＳＳまたはＨＬＲは、ＨＬＲまたはＨＳＳに２重登録を形成するために、位置取消を前のサイドに送信しない。インターＲＡＴ（インター無線アクセス技術）ＲＡＵまたはＴＡＵが続いて起こるとき、新しいサイドでのＭＭＥ（Ｍｏｂｉｌｉｔｙ  Ｍａｎａｇｅｎｅｎｔ  Ｅｎｔｉｔｙ、モビリティ管理エンティティ）またはＳＧＳＮ（Ｓｅｒｖｉｎｇ  ＧＰＲＳ  Ｓｕｐｐｏｒｔ  Ｎｏｄｅ、サービングＧＰＲＳサポート・ノード）は、位置更新をＨＳＳまたはＨＬＲに送信しない。
【０００７】
本発明を実施するプロセスにおいて、発明者は、従来技術２が少なくとも以下の問題を有することに気付いている。
【０００８】
位置更新メッセージがＨＳＳに送信されないので、ユーザ機器が２Ｇまたは３ＧネットワークからＬＴＥ（Ｌｏｎｇ  Ｔｉｍｅ  Ｅｖｏｌｖｅｄ、ロング・ターム・エボリューション）ネットワークに戻る場合、かつ、ユーザ機器が２Ｇまたは３Ｇネットワーク側にあるとき、ＨＳＳは、ＭＳＣをショート・メッセージの宛先ネットワーク・エレメントに設定し、ユーザ機器に関連する終端ショート・メッセージが到着したとき、ＨＳＳは、ＭＳＣアドレスを返送する。しかし、ユーザ機器は、実際には、ＭＭＥに登録するので、ＭＳＣは、ショート・メッセージをユーザ機器に送信する可能性がなく、その結果、ユーザ機器のショート・メッセージ・サービスは、正常に実行される可能性がなく、ユーザ体験が悪くなる。
【０００９】
２Ｇまたは３ＧネットワークからＬＴＥネットワークに戻るときにユーザ機器がＭＭＥに登録する場合、ＭＭＥは、ＭＭＥをショート・メッセージの宛先ネットワーク・エレメントに設定するようにＨＳＳを始動させるために、位置更新メッセージをＨＳＳに常に送信し、このことは、ショート・メッセージがＭＭＥを通じてユーザ機器に送信される可能性があることを確実なものとする可能性がある。しかし、通信システムにおいて、必ずしも全てのユーザ機器が対応する２重登録を実行するのではなく、２重登録を実行しないユーザ機器に対し、ユーザ機器がＭＭＥ側に戻り、ＳＭＳサービスをユーザ機器に送信することが必要とされているとき、位置更新動作を開始することは必要とされず、この事例では、位置更新動作が相応して開始され、通信システムにおけるシグナリング伝送が増大し、それによって、通信システムの性能に影響を与える。
【発明の概要】
【発明が解決しようとする課題】
【００１０】
本発明の目的は、サービスの正常な実行を確実なものとすると共に、通信システムにおける不必要なシグナリング相互作用を削減し、そして、通信システムの性能を改善するために通信システムにおけるサービス処理方法および装置を提供することである。
【課題を解決するための手段】
【００１１】
本発明は、以下の技術的解決手法を通じて実施される。
【００１２】
通信ネットワークにおけるサービス処理方法は、
第２のモビリティ管理ネットワーク・エレメントによって、指示情報を受信し、指示情報に従って、メッセージをホーム加入者サーバＨＳＳもしくはホーム・ロケーション・レジスタＨＬＲに送信することと、アイドル・モード・シグナリング削減ＩＳＲをアクティブ化しないこととのうちの少なくとも一方を実行すること、または、メッセージをＨＳＳもしくはＨＬＲに送信しないことと、ＩＳＲがアクティブ化されてもよいことを決定することとのうちの少なくとも一方を実行することを決定することを含む。
【００１３】
通信ネットワークにおけるシグナリング削減装置は、
指示情報を受信するように構成されている指示情報受信ユニットと、
指示情報受信ユニットによって受信された指示情報に従って、メッセージをＨＳＳもしくはＨＬＲに送信することと、ＩＳＲをアクティブ化しないこととのうちの少なくとも一方を実行すること、または、メッセージをＨＳＳもしくはＨＬＲに送信しないことと、ＩＳＲがアクティブ化されてもよいことを決定することとのうちの少なくとも一方を実行することを決定するように構成されている動作実行処理ユニットと、を含む。
【００１４】
通信ネットワークにおけるシグナリング削減方法は、
第２のモビリティ管理ネットワーク・エレメントによって、ＳＭＳサービング・ノードとしての機能を果たす第２のモビリティ管理ネットワーク・エレメントを取り消すことに関してＨＳＳもしくはＨＬＲによって送信された通知を受信することと、
ＩＳＲをアクティブ化しないこと、および／または、メッセージをＨＳＳもしくはＨＬＲに送信することを決定することと、
を含む。
【００１５】
通信ネットワークにおけるシグナリング削減装置は、
ＳＭＳ登録取消に関してＨＳＳもしくはＨＬＲによって送信された通知を受信するように構成されている登録取消通知受信ユニットと、
登録取消通知受信ユニットが通知を受信した場合、メッセージをＨＳＳもしくはＨＬＲに送信すること、および／または、ＩＳＲをアクティブ化しないことを決定するように構成されている動作実行ユニットと、
を含む。
【００１６】
通信ネットワークにおけるシグナリング削減方法は、
ユーザ機器によって、メッセージをＨＳＳもしくはＨＬＲに送信することと、ＩＳＲをアクティブ化しないこととのうちの少なくとも一方を実行すること、または、メッセージをＨＳＳもしくはＨＬＲに送信しないことと、ＩＳＲがアクティブ化されてもよいことを決定することとのうちの少なくとも一方を実行することを第２のモビリティ管理ネットワーク・エレメントに命令するために使用される指示情報を第２のモビリティ管理ネットワーク・エレメントに送信することを含む。
【００１７】
ユーザ機器は、メッセージをＨＳＳもしくはＨＬＲに送信することと、ＩＳＲをアクティブ化しないこととのうちの少なくとも一方を実行すること、または、メッセージをＨＳＳもしくはＨＬＲに送信しないことと、ＩＳＲがアクティブ化されてもよいことを決定することとのうちの少なくとも一方を実行することを第２のモビリティ管理ネットワーク・エレメントに命令するために使用される指示情報を第２のモビリティ管理ネットワーク・エレメントに送信するように構成されている指示情報送信ユニットを含む。
【００１８】
以上の技術的解決手法からわかるように、異なったその後の処理手順は、第２のモビリティ管理ネットワーク・エレメントが、受信された指示情報に従って、メッセージをＨＳＳもしくはＨＬＲに送信することと、ＩＳＲをアクティブ化しないこととのうちの少なくとも一方を実行すべきか否か、または、メッセージをＨＳＳもしくはＨＬＲに送信しないことと、ＩＳＲがアクティブ化されてもよいことを決定することとのうちの少なくとも一方を実行すべきか否かを決定することができるように、指示情報に従って採用される。その結果、通信システムにおいて、ユーザ機器が対応するサービスを実施する可能性があること、通信ネットワークにおけるシグナリング伝送がさらに削減される可能性があること、およびネットワーク性能が改善される可能性があることが確実なものとされることがある。
【図面の簡単な説明】
【００１９】
【図１】本発明の実施形態による方法の概略処理フローチャートである。
【図２】本発明の実施形態が適用されるシステムの概略構成図である。
【図３】本発明の実施形態による方法を図２に示されたシステムに適用する概略処理フローチャートである。
【図４Ａ】本発明の実施形態による方法の適用実施形態１のフローチャートである。
【図４Ｂ】本発明の実施形態による方法の適用実施形態１のフローチャートである。
【図５Ａ】本発明の実施形態による方法の適用実施形態２のフローチャートである。
【図５Ｂ】本発明の実施形態による方法の適用実施形態２のフローチャートである。
【図６】本発明の実施形態による方法の適用実施形態３のフローチャートである。
【図７Ａ】本発明の実施形態による装置の第１の概略構成図である。
【図７Ｂ】本発明の実施形態による装置の第２の概略構成図である。
【図７Ｃ】本発明の実施形態による装置の第３の概略構成図である。
【図７Ｄ】本発明の実施形態による装置の第４の概略構成図である。
【図７Ｅ】本発明の実施形態による別の装置の概略構成図である。
【図８】本発明の実施形態によるユーザ機器の概略構成図である。
【発明を実施するための形態】
【００２０】
本発明の実施形態による技術的解決手法を明瞭に例示するために、実施形態を説明するため必要とされる添付図面を以下で簡単に紹介する。当然ながら、以下の説明において添付図面は、本発明の何らかの実施形態に過ぎず、当業者は、創造的な努力をすることなく、添付図面に従ってその他の図面を得る可能性がある。
【００２１】
本発明の実施形態における技術的解決手法は、本発明の実施形態における添付図面を参照して以下で明瞭かつ十分に説明される。当然ながら、説明される実施形態は、本発明の実施形態の全部ではなく、一部に過ぎない。創造的な努力をすることなく本発明の実施形態に基づいて当業者によって取得される他の実施形態の全ては、本発明の保護範囲に含まれるべきである。
【００２２】
本発明の実施形態において提供される技術的解決手法では、第２のモビリティ管理ネットワーク・エレメントは、サービスの正常な実施を確実なものとし、そして、不必要な動作が実行されることを効率的に低減するために、指示情報に従って、メッセージをＨＳＳ／ＨＬＲに送信することが必要であること、または、ＩＳＲがアクティブ化されてもよいことを決定し、それによって、通信ネットワークにおいてシグナリング伝送を削減し、ネットワーク性能を改善する。
【００２３】
本発明の実施形態において提供される通信ネットワークにおけるシグナリング削減方法の具体的な実施が図１に示され、この方法は、以下の処理ステップを含むことがある。
【００２４】
ステップ１１：第２のモビリティ管理ネットワーク・エレメントは、指示情報を受信する。
【００２５】
指示情報は、
１）メッセージをＨＳＳ／ＨＬＲ（すなわち、ＨＳＳまたはＨＬＲ）に送信することが必要とされているか否か、または、
２）ＩＳＲがアクティブ化されてもよいか否か、ここで、ＩＳＲがアクティブ化されてもよいとは、第２のモビリティ管理ネットワーク・エレメントがＩＳＲをアクティブ化する可能性があることを指し、ＩＳＲがアクティブ化されなくてもよいとは、第２のモビリティ管理ネットワーク・エレメントがＩＳＲをアクティブ化する可能性がないことを指す、または、
３）メッセージをＨＳＳ／ＨＬＲに送信することが必要とされているか否か、および、ＩＳＲがアクティブ化されてもよいか否か、
を指示するために具体的に使用されることがある。
【００２６】
メッセージをＨＳＳ／ＨＬＲに送信することは、ユーザ機器が第２のモビリティ管理ネットワーク・エレメントを通じてＳＭＳサービスを実施することがあるように、第２のモビリティ管理ネットワーク・エレメントがＳＭＳサービング・ノードとして登録されるため使用されることがある（たとえば、メッセージをＨＳＳ／ＨＬＲに送信することにより位置更新動作を開始する）。
【００２７】
本発明の実施形態およびそれに続く実施形態の全てにおける指示情報は、メッセージ中で情報要素の具体的な値を採用することにより識別されることがある。メッセージをＨＳＳ／ＨＬＲに送信すべきか否かを指示することを一例として挙げると、情報要素「ＨＳＳフラグ付き登録」は、相互作用メッセージ中で搬送されることがあり、情報要素が値１を有するとき、この値は、ＨＳＳ／ＨＬＲに登録することが必要であることを指示し（すなわち、メッセージをＨＳＳ／ＨＬＲに送信することが必要である）、情報要素が値０を有するとき、この値は、ＨＳＳ／ＨＬＲに登録する必要がないことを指示する。ここで、０または１は、一例として挙げられているだけであり、対応する指示情報は、別の値を採用することによりさらに識別されることがある。あるいは、対応する指示情報は、情報要素がメッセージ中に存在するか否かによって識別されることもある。たとえば、メッセージが「ＨＳＳフラグ付き登録」を有する場合、これは、メッセージをＨＳＳ／ＨＬＲに送信することが必要であることを指示し、メッセージが「ＨＳＳフラグ付き登録」を有しない場合、これは、メッセージをＨＳＳ／ＨＬＲに送信する必要がないことを指示し、逆もまた同様である。
【００２８】
詳しくは、ＩＳＲをアクティブ化すべきか否かの指示に対して、第２のモビリティ管理ネットワーク・エレメントは、既存の応答メッセージ中のＩＳＲサポート情報要素を再使用することがあり、本発明において限定されることがない新しい情報要素も導入することもある。
【００２９】
対応する指示情報は、メッセージをＨＳＳ／ＨＬＲに送信することが要求されているか否か、または、ＩＳＲをアクティブ化すべきか否かについての直接的な指示のような直接的な指示でもよく、そして、限定されることなく、ユーザ機器が第３のモビリティ管理ネットワーク・エレメントに登録するか否か、または、ネットワーク側が、ＰＳドメインにおいて、ユーザ機器にショート・メッセージ・サービスを提供するか否かについて指示することを含む間接的な指示でもよい。指示のフォーマットは、使用指示／フラグ中のＰＳ限定（ＰＳドメインだけに対応する）、または、ＳＧＳＮフラグ中のＳＭＳなどでもよく、これは、単なる識別子命名問題であり、本発明における指示の機能に影響を与えない。ネットワーク側が、ＰＳドメインにおいて、ショート・メッセージをユーザ機器に提供することは、ＰＳドメイン・コア・ネットワーク機器ＳＧＳＮがショート・メッセージをユーザに提供することを指す。ユーザ機器は、ＣＳドメイン機器のＭＳＣ／ＶＬＲを経由することなく、ショート・メッセージ・サービスを取得することがある。
【００３０】
ネットワーク側が、ＰＳドメインにおいて、ショート・メッセージ・サービスをユーザ機器に提供することを決定するユーザ機器または第１のモビリティ管理ネットワーク・エレメントのための対応する方法は、以下のとおりである。第１のモビリティ管理ネットワーク・エレメントのアクセス許可メッセージは、ユーザ機器がＳＭＳ対応であること（ショート・メッセージ対応）、または、ネットワーク側が、ＰＳドメインにおいて、ショート・メッセージ・サービスをユーザ機器に提供することを指示する。具体的には、第１のモビリティ管理ネットワーク・エレメントが「ＳＭＳ限定（ショート・メッセージ・サービスだけを必要とする）」であり、ユーザ加入データが「ＰＳ限定使用可能型（データ・ドメインのショート・メッセージ・サービスに対応する）」であることをユーザ機器が指示する場合、第１のモビリティ管理ネットワーク・エレメントは、メッセージ中で、ユーザ機器が「ＳＭＳ対応」であること、または、ネットワーク側が、ＰＳドメインにおいて、ショート・メッセージ・サービスをユーザ機器に提供することを指示し、ユーザ機器は、この指示に従って、ＰＳドメインがショート・メッセージ・サービスをユーザ機器に提供することを得ることがある。同様に、上記ステップにおいて、ネットワーク側は、ＰＳドメインを通じてショート・メッセージ・サービスをユーザ機器に提供することがあることが識別され、この事例では、ユーザ機器は、第３のモビリティ管理ネットワーク・エレメントに登録しないこと（第３のモビリティ管理ネットワーク・エレメントは、ＭＳＣのような回線ドメインネットワーク・エレメントであることがある）、または、ユーザ機器は、第３のモビリティ管理ネットワーク・エレメントへの登録に成功しないことが決定されることがある。アクセス要求メッセージは、コンバインドアタッチ（ｃｏｍｂｉｎｅｄ  ａｔｔａｃｈ）もしくはアタッチ（ａｔｔａｃｈ）要求メッセージ、または、ＧＥＲＡＮ／ＵＴＲＡＮネットワークにおけるコンバインドＲＡＵ（ｃｏｍｂｉｎｅｄ  ＲＡＵ）要求メッセージもしくはＲＡＵ（ルート・エリア更新）要求メッセージ、または、ＬＴＥネットワークにおけるコンバインドＴＡＵ（ｃｏｍｂｉｎｅｄ  ＴＡＵ）要求メッセージもしくはＴＡＵ（トラッキング・エリア更新）要求メッセージでもよい。アクセス許可メッセージは、コンバインドアタッチ（ｃｏｍｂｉｎｅｄ  ａｔｔａｃｈ）もしくはアタッチ（ａｔｔａｃｈ）許可メッセージ、または、ＧＥＲＡＮ／ＵＴＲＡＮネットワークにおけるコンバインドＲＡＵ（ｃｏｍｂｉｎｅｄ  ＲＡＵ）許可メッセージもしくはＲＡＵ（ルート・エリア更新）許可メッセージ、または、ＬＴＥネットワークにおけるコンバインドＴＡＵ（ｃｏｍｂｉｎｅｄ  ＴＡＵ）要求メッセージもしくはＴＡＵ（トラッキング・エリア更新）許可メッセージでもよい。
【００３１】
さらに、対応する指示情報は、限定されることなく、別の機能を実施するため使用され、第２のモビリティ管理ネットワーク・エレメントによって受信されるメッセージを含むことがあり、たとえば、ＳＭＳ登録取消メッセージは、対応する指示情報として直接的に使用されることがあり、または、本発明を実施するため構築もしくは修正されたメッセージ、たとえば、対応するフィールド情報が追加されたコンテキスト応答メッセージは、指示情報として使用されることがあり、その他同様である。
【００３２】
指示情報は、以下の方法のうちのいずれかを採用することにより決定されることがある。
【００３３】
方法１：第１のモビリティ管理ネットワーク・エレメントは、ユーザ機器と相互作用し、たとえば、ユーザ機器によって開始された更新メッセージを受信するので、第２のモビリティ管理ネットワーク・エレメントがメッセージをＨＳＳ／ＨＬＲに送信しないこと、もしくは、ＩＳＲがアクティブ化されてもよいことを決定すること、または、ユーザ機器が第３のモビリティ管理ネットワーク・エレメントに登録しないこと、もしくは、ネットワーク側が、ＰＳドメインにおいて、ショート・メッセージ・サービスをユーザ機器に提供することを指示するように、第１のモビリティ管理ネットワーク・エレメントは、ユーザ機器と相互作用したメッセージに基づいて、ユーザ機器が第３のモビリティ管理ネットワーク・エレメントに登録しないこと、または、ネットワーク側が、ＰＳドメインにおいて、ショート・メッセージ・サービスをユーザ機器に提供することを決定することがある。ユーザ機器が第３のモビリティ管理ネットワーク・エレメントに登録すること、もしくは、ネットワーク側が、ＰＳドメインにおいて、ショート・メッセージ・サービスをユーザ機器に提供しないことが決定された場合、このことは、第２のモビリティ管理ネットワーク・エレメントがメッセージをＨＳＳ／ＨＬＲに送信すること、もしくは、ＩＳＲがアクティブ化されないことを指示し、または、決定結果に基づいて、ユーザ機器が、第３のモビリティ管理ネットワーク・エレメントに登録しないこと、もしくは、ネットワーク側が、ＰＳドメインにおいて、ショート・メッセージ・サービスをユーザ機器に提供することが第２のモビリティ管理ネットワーク・エレメントに指示される。
【００３４】
具体的には、第１のモビリティ管理ネットワーク・エレメントは、メッセージを対応する第２のモビリティ管理ネットワーク・エレメントに送信するように、限定されることなく、ユーザ機器が第３のモビリティ管理ネットワーク・エレメントに登録するか否かに関する情報の指示、または、ネットワーク側が、ＰＳドメインにおいて、ショート・メッセージ・サービスをユーザ機器に提供することに関する指示、または、メッセージをＨＳＳ／ＨＬＲに送信すべきか否かに関する指示、または、ＩＳＲがアクティブ化されてもよいか否かについての指示をコンテキスト応答メッセージ中で搬送することがある。
【００３５】
方法２：ユーザ機器は、ユーザ機器が第３のモビリティ管理ネットワーク・エレメントへの登録手順を有するか否かと、登録成功の結果とに従って、ユーザ機器が第３のモビリティ管理ネットワーク・エレメントに登録するか否か、または、ネットワーク側が、ＰＳドメインにおいて、ショート・メッセージ・サービスをユーザ機器に提供するか否かを決定することがある。ユーザ機器が第３のモビリティ管理ネットワーク・エレメントに登録しないか、もしくは、ネットワーク側が、ＰＳドメインにおいて、ショート・メッセージ・サービスをユーザ機器に提供する場合、このことは、第２のモビリティ管理ネットワーク・エレメントがメッセージをＨＳＳ／ＨＬＲに送信しないこと、もしくは、ＩＳＲがアクティブ化されてもよいことを指示するか、または、ユーザ機器が第３のモビリティ管理ネットワーク・エレメントに登録しないこと、もしくは、ネットワーク側が、ＰＳドメインにおいて、ショート・メッセージ・サービスをユーザ機器に提供することが第２のモビリティ管理ネットワーク・エレメントに直接的に指示される。ユーザ機器が第３のモビリティ管理ネットワーク・エレメントに登録するか、もしくは、ネットワーク側が、ＰＳドメインにおいて、ショート・メッセージ・サービスをユーザ機器に提供する場合、このことは、第２のモビリティ管理ネットワーク・エレメントがメッセージをＨＳＳ／ＨＬＲに送信すること、もしくは、ＩＳＲがアクティブ化されなくてもよいことを指示し、または、ユーザ機器が第３のモビリティ管理ネットワークに登録しないこと、もしくは、ネットワーク側が、ＰＳドメインにおいて、ショート・メッセージ・サービスをユーザ機器に提供することが第２のモビリティ管理ネットワーク・エレメントに直接的に指示される。ここで、ユーザ機器は、限定されることなく、ユーザ機器によって第２のモビリティ管理ネットワーク・エレメントに送信されたアクセス要求メッセージ中に、第３のモビリティ管理ネットワーク・エレメントへの登録に関する情報、もしくは、ネットワーク側が、ＰＳドメインにおいて、ショート・メッセージ・サービスをユーザ機器に提供することを指示する情報、または、メッセージをＨＳＳ／ＨＬＲに送信すべきか否かについての指示、もしくは、ＩＳＲがアクティブ化されてもよいか否かについての指示を含め、アクセス要求メッセージを第２のモビリティ管理ネットワーク・エレメントに送信することがある。
【００３６】
方法１および方法２において、メッセージをＨＳＳ／ＨＬＲに送信すべきか否かについての指示、および、ＩＳＲがアクティブ化されてもよいか否かについての指示は、同じ指示であることがあり（すなわち、同じ指示がメッセージをＨＳＳ／ＨＬＲに送信すべきか否か、および、ＩＳＲをアクティブ化すべきか否かを指示するために使用されることがあり）、または、異なった指示にそれぞれに対応することがある（すなわち、指示は、メッセージをＨＳＳ／ＨＬＲに送信すべきか否かを指示するためだけに使用される、もしくは、ＩＳＲがアクティブ化されてもよいことを指示するためだけに使用される）。
【００３７】
方法３：ユーザ機器が第３のモビリティ管理ネットワーク・エレメントに登録することを得た後、ＨＳＳまたはＨＬＲは、ショート・メッセージ（ＳＭＳ）サービング・ノードとしての第２のモビリティ管理ネットワーク・エレメントの登録を取り消し、ショート・メッセージ・サービング・ノードとしての第２のモビリティ管理ネットワーク・エレメントの登録を取り消すことについて第２のモビリティ管理ネットワーク・エレメントに通知し、第２のモビリティ管理ネットワーク・エレメントは、ＨＳＳまたはＨＬＲの通知に従って、ユーザ機器が第３のモビリティ管理ネットワーク・エレメントに登録するか否かを決定することがあり、すなわち、第２のモビリティ管理ネットワーク・エレメントが指示情報として通知を使用し、この通知に従って、ユーザ機器が第３のモビリティ管理ネットワーク・エレメントに登録することを決定することがある。指示情報は、この事例では、ユーザ機器が第３のモビリティ管理ネットワーク・エレメントに登録することを指示するために使用される。
【００３８】
具体的には、方法３において、ユーザ機器が第３のモビリティ管理ネットワーク・エレメントに登録するとき、ＭＳＣ／ＶＬＲは、ＨＳＳ／ＨＬＲに通知し、この通知を受信した後、ＨＳＳ／ＨＬＲは、ショート・メッセージ・サービング・ノードとしての第２のモビリティ管理ネットワーク・エレメントの登録を取り消し、第２のモビリティ管理ネットワーク・エレメントに、ショート・メッセージ・サービング・ノードとしての第２のモビリティ管理ネットワーク・エレメントの登録を取り消すことについてのメッセージを送信し、このようにして、第２のモビリティ管理ネットワーク・エレメントは、ＨＳＳ／ＨＬＲによって送信されたメッセージを受信した後、ステップ１２を実行する。
【００３９】
ステップ１２：第２のモビリティ管理ネットワーク・エレメントは、受信された指示情報に従って、メッセージをＨＳＳもしくはＨＬＲに送信することと、ＩＳＲをアクティブ化しないこととのうちの少なくとも一方を実行すること、または、メッセージをＨＳＳもしくはＨＬＲに送信しないことと、ＩＳＲがアクティブ化されてもよいことを決定することとのうちの少なくとも一方を実行することを決定し、すなわち、メッセージをＨＳＳ／ＨＬＲに送信すべきか否か、および／または、ＩＳＲがアクティブ化されてもよいか否かを決定する。
【００４０】
異なる受信された指示情報によれば、メッセージをＨＳＳ／ＨＬＲに送信すべきか否か、および／または、ＩＳＲをアクティブ化すべきであるか否かを対応して決定することは、具体的には以下を含むことがある。
【００４１】
（１）受信された指示情報は、メッセージをＨＳＳ／ＨＬＲに送信すべきか否か、または、ＩＳＲをアクティブ化すべきか否かを直接的に指示するために使用される。
【００４２】
対応する指示情報がメッセージをＨＳＳ／ＨＬＲに送信することを指示するために使用される場合、ユーザ機器の（コンバインド）トラッキング・エリア更新要求｛（コンバインド）ＴＡＵ要求｝メッセージを受信したとき、または、（コンバインド）トラッキング・エリア更新要求手順中であるとき、第２のモビリティ管理ネットワーク・エレメントは、メッセージをＨＳＳ／ＨＬＲに送信し、このメッセージを受信した後、ＨＳＳ／ＨＬＲは、ＭＭＥをショート・メッセージ・サービング・ノードに設定する。対応する指示情報がメッセージをＨＳＳ／ＨＬＲに送信しないことを指示する場合、ユーザ機器の（コンバインド）トラッキング・エリア更新要求メッセージを受信したとき、または、（コンバインド）トラッキング・エリア更新要求手順中であるとき、第２のモビリティ管理ネットワーク・エレメントは、メッセージをＨＳＳ／ＨＬＲに送信しない。
【００４３】
対応する指示情報が、ＩＳＲがアクティブ化されてもよいと決定されたことを指示するために使用される場合、後続の処理手順において、第２のモビリティ管理ネットワーク・エレメントがＩＳＲをアクティブ化する。対応する指示情報が、ＩＳＲがアクティブ化されないことを指示するために使用される場合、後続の処理手順において、第２のモビリティ管理ネットワーク・エレメントは、ＩＳＲをアクティブ化することなく、ＳＧＷは、第２のモビリティ管理ネットワーク・エレメントとシグナリング相互作用を実行するが、第１のモビリティ管理ネットワーク・エレメントとシグナリング相互作用を実行することなく、それによって、第１のモビリティ管理ネットワーク・エレメント側でリソースを節約する。
【００４４】
（２）受信された指示情報は、ユーザ機器が第３の管理ネットワーク・エレメントに登録すること、または、ネットワーク側が、ＰＳドメインにおいて、ショート・メッセージ・サービスをユーザ機器に提供しないことを指示するために使用される。
【００４５】
受信された指示情報が、ユーザ機器が第３の管理ネットワーク・エレメントに登録すること、または、ネットワーク側が、ＰＳドメインにおいて、ショート・メッセージ・サービスをユーザ機器に提供しないことを指示するために使用される場合、ユーザ機器の（コンバインド）トラッキング・エリア更新要求メッセージを受信したとき、または、（コンバインド）トラッキング・エリア更新要求手順中であるとき、第２のモビリティ管理ネットワーク・エレメントは、メッセージをＨＳＳ／ＨＬＲに送信し、メッセージを受信した後、ＨＳＳ／ＨＬＲは、ＭＭＥをショート・メッセージ・サービング・ノードに設定する。第２のモビリティ管理ネットワーク・エレメントは、ＩＳＲをアクティブ化することなく、ＳＧＷは、第２のモビリティ管理ネットワーク・エレメントとシグナリング相互作用を実行するが、第１のモビリティ管理ネットワーク・エレメントとシグナリング相互作用を実行することなく、それによって、第１のモビリティ管理ネットワーク・エレメント側でリソースを節約する。これに反して、受信された指示情報が、ユーザ機器が第３の管理ネットワーク・エレメントに登録しないこと、または、ネットワーク側が、ＰＳドメインにおいて、ショート・メッセージ・サービスをユーザ機器に提供することを指示するために使用される場合、ユーザ機器の（コンバインド）トラッキング・エリア更新要求メッセージを受信したとき、または、（コンバインド）トラッキング・エリア更新要求手順中であるとき、第２のモビリティ管理ネットワーク・エレメントは、メッセージをＨＳＳ／ＨＬＲに送信することなく、第２のモビリティ管理ネットワーク・エレメントは、ＩＳＲをアクティブ化することがある。
【００４６】
（３）受信された指示情報は、ショート・メッセージ・サービング・ノードとしての第２のモビリティ管理ネットワーク・エレメントの登録を取り消すことを第２のモビリティ管理ネットワーク・エレメントに通知するために使用される。
【００４７】
ＨＳＳ／ＨＬＲがショート・メッセージ・サービング・ノードとしての第２のモビリティ管理ネットワーク・エレメントの登録を取り消すためにメッセージを第２のモビリティ管理ネットワーク・エレメントに送信する場合、第２のモビリティ管理ネットワーク・エレメントは、このメッセージを受信した後にユーザ機器のショート・メッセージ・サービスを取り消す。しかし、ユーザのコンテキスト情報は、削除されない（留保される）。場合によっては、第２のモビリティ管理ネットワーク・エレメントは、ユーザ機器のショート・メッセージに関連する加入情報を削除することがある。第２のモビリティ管理ネットワーク・エレメントがユーザ機器の（コンバインド）トラッキング・エリア更新要求メッセージを受信するとき、または、（コンバインド）トラッキング・エリア更新要求がＳＭＳ限定指示を含むとき、ＰＳ（パケット交換、ｐａｃｋｅｔ  ｓｗｉｔｃｈ）加入データがショート・メッセージ・サービスを可能にする場合、第２のモビリティ管理ネットワーク・エレメントは、ショート・メッセージ・サービング・ノードとして登録されるようにメッセージをＨＳＳ／ＨＬＲに送信する。場合によっては、ＨＳＳ／ＨＬＲが加入データを必要としないことが指示され、このメッセージを受信した後に、ＨＳＳ／ＨＬＲは、第２のモビリティ管理ネットワーク・エレメントをショート・メッセージ・サービング・ノードに設定する。場合によっては、加入データは、第２のモビリティ管理ネットワーク・エレメントに送信されることがない。これに反して、第２のモビリティ管理ネットワーク・エレメントがＨＳＳ／ＨＬＲによって送信されたＳＭＳ登録取消メッセージを受信しない場合、第２のモビリティ管理ネットワーク・エレメントは、メッセージをＨＳＳ／ＨＬＲに送信しない。
【００４８】
ＨＳＳ／ＨＬＲがショート・メッセージ・サービング・ノードとしての第２のモビリティ管理ネットワーク・エレメントの登録を取り消すためにメッセージを第２のモビリティ管理ネットワーク・エレメントに送信するが、ＰＳ加入データがそれでもショート・メッセージ・サービスを可能にし、第２のモビリティ管理ネットワーク・エレメントが、ユーザがこのメッセージを受信した後にＭＳＣ／ＶＬＲに登録することを決定し、第２のモビリティ管理ネットワーク・エレメントがＩＳＲをアクティブ化しない場合、ＳＧＷは、第２のモビリティ管理ネットワーク・エレメントとのシグナリング相互作用を実行するが、第１のモビリティ管理ネットワーク・エレメントとのシグナリング相互作用を実行することなく、それによって、第１のモビリティ管理ネットワーク・エレメント側のリソースを節約する。第２のモビリティ管理ネットワーク・エレメントがＳＭＳサービング・ノードとしての第２のモビリティ管理ネットワーク・エレメントの登録の取消に関してＨＳＳ／ＨＬＲによって送信されたメッセージを受信しない場合、第２のモビリティ管理ネットワーク・エレメントは、ＩＳＲがアクティブ化されてもよいことを決定する。
【００４９】
第２のモビリティ管理ネットワーク・エレメントによってメッセージをＨＳＳ／ＨＬＲに送信する動作とＩＳＲをアクティブ化する動作とは、何ら連関関係がなく、２つの動作を別個に実行すべきか否かがそれぞれに決定されることがあり、１つの動作を実行すべきか否かを決定する（たとえば、メッセージをＨＳＳ／ＨＬＲに送信すべきか否かだけを決定する、または、ＩＳＲをアクティブ化するか否かだけを決定する）ことが具体的に選択されることがあり、２つの動作を同時に実行すべきか否かが決定される（たとえば、メッセージをＨＳＳ／ＨＬＲに送信すべきか否かを決定し、かつ、同時にＩＳＲをアクティブ化するか否かだけを決定する）こともある、という点に注意すべきである。
【００５０】
ステップ１１および１２は、連続して実行される２ステップであることを必要とされることなく、対応するステップ１１とステップ１２とを実行する間に、第２のモビリティ管理ネットワーク・エレメントは、別のシグナリング処理手順を実行することがある、という点に特に注意すべきである。その結果、指示情報を受信した後に、第２のモビリティ管理ネットワーク・エレメントは、この指示情報に従って、対応するマークをさらに設定することがあり、このマークは、メッセージをＨＳＳもしくはＨＬＲに送信することと、ＩＳＲをアクティブ化しないこととのうちの少なくとも一方を指示するために、または、メッセージをＨＳＳもしくはＨＬＲに送信しないことと、ＩＳＲをアクティブ化することとのうちの少なくとも一方を実行することを指示するために使用される。
【００５１】
実施形態では、対応する第２のモビリティ管理ネットワーク・エレメントは、ＭＭＥでもよく、対応する第１のモビリティ管理ネットワーク・エレメントは、ＳＧＳＮでもよく、第３のモビリティ管理ネットワーク・エレメントは、ＭＳＣ／ＶＬＲでもよい。明らかに、対応する第１のモビリティ管理ネットワーク・エレメント、第２のモビリティ管理ネットワーク・エレメント、および第３のモビリティ管理ネットワーク・エレメントは、通信システムにおけるネットワーク・エンティティが本発明を実施するために対応する処理手順を実行する限り、その他のネットワーク・エンティティでもよく、これらは、全てが本発明の保護範囲に包含されるべきである。
【００５２】
上記実施形態において提供された技術的解決手法を通じて、第２のモビリティ管理ネットワーク・エレメントが必要に応じてメッセージをＨＳＳ／ＨＬＲに送信できることを確実なものとするように、異なった後続の処理手順が指示情報に従って採用され、その結果、後続のサービスの正常な実行が確実なものとされることがあり、第２のモビリティ管理ネットワーク・エレメントとＨＳＳ／ＨＬＲとの間のシグナリング相互作用もまた効率的に削減されることがある。同時に、第２のモビリティ管理ネットワーク・エレメントは、通信ネットワーク内のエンティティ間の不必要なシグナリング相互作用を低減するように、指示情報に従ってＩＳＲを正しくアクティブ化することもあり、それによって、通信ネットワークリソースを節約し、ネットワーク性能を改善する。
【００５３】
本発明の実施形態の理解を簡単にするため、本発明の実施形態の実施プロセスが以下で具体的な用途と組み合わせて詳細に例示される。
【００５４】
本発明の実施形態は、具体的に、図２に示されたネットワークアーキテクチャで使用されることがあり、このネットワークアーキテクチャは、ＥＵＴＲＡＮおよびＧＥＲＡＮまたはＵＴＲＡＮにおけるエンティティを含み、対応するエンティティは、具体的には、ＳＧＳＮ（サービングＧＰＲＳサポート・ノード、ｓｅｒｖｉｎｇ  ＧＰＲＳ  ｓｕｐｐｏｒｔ  ｎｏｄｅ）およびＬＴＥ（ロング・ターム・エボリューション、ｌｏｎｇ  ｔｅｒｍ  ｅｖｏｌｕｔｉｏｎ）ネットワークのＨＳＳ（ホーム加入者サーバ、ｈｏｍｅ  ｓｕｂｓｃｒｉｂｅｒ  ｓｅｒｖｅｒ）もしくはＨＬＲ（ホーム・ロケーション・レジスタ、ｈｏｍｅ  ｌｏｃａｔｉｏｎ  ｒｅｇｉｓｔｅｒ）、ＭＳＣ（ｍｏｂｉｌｅ  ｓｗｉｔｃｈｉｎｇ  ｃｅｎｔｅｒ、移動通信交換センタ）もしくはＶＬＲ（ｖｉｓｉｔｏｒ  ｌｏｃａｔｉｏｎ  ｒｅｇｉｓｔｅｒ、ビジタ・ロケーション・レジスタ）、ＵＥ（ユーザ機器、ｕｓｅｒ  ｅｑｕｉｐｍｅｎｔ）、およびＭＭＥ（モビリティ管理エンティティ、ｍｏｂｉｌｅ  ｍａｎａｇｅｍｅｎｔ  ｅｎｔｉｔｙ）を含む。ここで、ＨＳＳもしくはＨＬＲは、略してＨＳＳ／ＨＬＲと呼ばれ、ＭＳＣもしくはＶＬＲは、略してＭＳＣ／ＶＬＲと呼ばれる。
【００５５】
このネットワークアーキテクチャでは、伝送される必要があるサービスは、ＣＳ（回線）ドメインサービスおよびＰＳ（データ）ドメインサービスを含む。ユーザ機器に対して、全ての加入サービスは、ＰＳドメインを通じて伝送され、ユーザ機器がＣＳドメイン加入データを有しない状況は、ＰＳ限定（データドメインだけに対応する）特性を有する通信システムと呼ばれる。ＰＳ限定特性を有する通信システムにおいて当初ＣＳドメインに属するＳＭＳ（ショート・メッセージング・サービス、ｓｈｏｒｔ  ｍｅｓｓａｇｅ  ｓｅｒｖｉｃｅ）の伝送を実行するために、ＳＧＳＮは、ＰＳドメインにおいてＳＭＳの伝送に対応するために使用可能にされ、ＭＭＥ内のＳＭＳ（ＭＭＥに基づくＳＭＳ）構造がＮＡＳ（非アクセス層）シグナリングに基づいてＳＭＳの伝送を実行するようにＬＴＥシステムにおいて提案され、それによって、ＳＭＳを除いてその他のＣＳサービス要件を有しない適用シナリオを満たす。さらに、ＰＳ限定特性要件を満たすために、ＰＳ限定関連コンテンツがユーザ加入データの中に追加され、「ＰＳ限定強制型」および「ＰＳ限定使用可能型」を含む。「ＰＳ限定強制型」は、ＣＳ加入データが存在しないことを指示するために使用され、「ＰＳ限定使用可能型」は、ユーザ機器がＰＳドメインＳＭＳ機能を使用してもよいことをＳＧＳＮもしくはＭＭＥに指示するために使用される。
【００５６】
ユーザ機器がＭＭＥ側にあるとき、ユーザ機器がＰＳドメインサービスおよびＳＭＳサービスだけを必要とする場合、ユーザ機器は、コンバインドアタッチ（ａｔｔａｃｈ）またはＴＡＵを開始するときにＳＭＳ限定識別子をＭＭＥに搬送する。ＭＭＥが、ユーザ機器の指示およびＰＳ限定加入データに基づいて、ＭＭＥ内のＳＭＳに対応する場合、ＭＭＥは、ＭＳＣ／ＶＬＲとの接続を確立せず、ＭＭＥは、ＭＭＥに基づいてＳＭＳサービスの伝送を実行するように、非ブロードキャストＬＡＩ（位置エリア・アイデンティティ、ｌｏｃａｔｉｏｎ  ａｒｅａ  ｉｄｅｎｔｉｔｙ）と、予約ＴＭＳＩ（一時的移動局アイデンティティ、ｔｅｍｐｏｒａｒｙ  ｍｏｂｉｌｅ  ｓｔａｔｉｏｎ  ｉｄｅｎｔｉｔｙ）とを割り付ける。
【００５７】
具体的には、上記ＰＳ限定シナリオに基づいて、ユーザ機器は、第１のモビリティ管理ネットワーク・エレメント側でＭＳＣ／ＶＬＲ登録を実行する必要がないことがある。この事例では、ユーザ機器が第２のモビリティ管理ネットワーク・エレメントに戻るとき、ＭＳＣ／ＶＬＲ登録を取り消すために位置更新動作を実行することは必要とされない。その結果、本発明の実施形態では、第２のモビリティ管理ネットワーク・エレメントが、受信された指示情報に従って、ユーザ機器がメッセージをＨＳＳもしくはＨＬＲに送信することと、ＩＳＲをアクティブ化しないこととのうちの少なくとも一方を実行するか、または、メッセージをＨＳＳもしくはＨＬＲに送信しないことと、ＩＳＲがアクティブ化されてもよいことを決定することとのうちの少なくとも一方を実行するか、たとえば、位置更新動作を実施するためにメッセージをＨＳＳ／ＨＬＲに送信することなどを決定することが提案される。その結果、ユーザ機器がＭＳＣ／ＶＬＲ登録を実施するか否かに基づいて、第２のモビリティ管理ネットワーク・エレメントは、ＨＳＳ／ＨＬＲとの不必要な相互作用を削減するように、位置更新を開始するか否かを決定することがある。
【００５８】
その上、ＭＭＥが「ＭＭＥ内のＳＭＳ」に対応する場合、ユーザ機器がＭＭＥ側に登録した後、ＭＭＥがＩＳＲ機能をアクティブ化した場合、ユーザが２Ｇ／３Ｇネットワークに戻るとき、２Ｇ／３ＧネットワークのＬＡＩは、ＭＭＥによって割り付けられた非ブロードキャストＬＡＩとは異なるので、ユーザは、コンバインドＲＡＵ手順またはセパレートＬＡＵ手順（ｓｅｐａｒａｔｅ  ＬＡＵ  ｐｒｏｃｅｄｕｒｅ）を開始することがいつでも必要であり、ユーザ機器によって開始されたシグナリングが削減される可能性がない。ダウンリンクデータまたはシグナリングが存在するとき、ＳＧＷは、ＳＧＳＮおよびＭＭＥに同時にメッセージをいつでも送信するか、または、ＳＧＳＮ／ＭＭＥに同時にユーザを呼び出すことを要求し、このことは、ＳＧＷとＳＧＳＮ／ＭＭＥとの間のシグナリング負荷を著しく増大させる。その結果、第２のモビリティ管理ネットワーク・エレメントが、受信された指示情報に従って、メッセージをＨＳＳもしくはＨＬＲに送信することと、ＩＳＲをアクティブ化しないこととのうちの少なくとも一方を実行するか、または、メッセージをＨＳＳもしくはＨＬＲに送信しないことと、ＩＳＲがアクティブ化されてもよいことを決定することとのうちの少なくとも一方を実行するかを決定し、それによって、シグナリング削減の目的を達成することが本発明の実施形態において提案されている。
【００５９】
図２において提供されたネットワークアーキテクチャとネットワークアーキテクチャの通信機能とに基づいて、図３に示されるように、第２のモビリティ管理ネットワーク・エレメントが対応する間接的な指示を受信することを一例として挙げると、本発明の実施形態の具体的な実施プロセスは、以下を含む。
【００６０】
ステップ３１：第２のモビリティ管理ネットワーク（たとえば、ＭＭＥ）は、ユーザ機器がＭＳＣ／ＶＬＲ登録を実行するか否かに関する情報、または、ネットワーク側が、ＰＳドメインにおいて、ショート・メッセージ・サービスをユーザ機器に提供するか否かに関する情報を獲得し、すなわち、第２のモビリティ管理ネットワーク・エレメントは、指示情報として対応するユーザ機器がＭＳＣ／ＶＬＲ登録を実行するか否かに関する情報を使用する。
【００６１】
対応する第２のモビリティ管理は、図２におけるＭＭＥでもよく、対応する第１のモビリティ管理ネットワーク・エレメントは、図２におけるＳＧＳＮでもよく、ＭＳＣ／ＶＬＲは、上述の第３のモビリティ管理ネットワーク・エレメントと等価である。
【００６２】
第２のモビリティ管理ネットワーク・エレメントが、ユーザ機器がＭＳＣ／ＶＬＲ登録を実行するか否かに関する情報を獲得する方法は、限定されることなく、以下の方法のうちのいずれか１つでもよい。
【００６３】
方法（１）：第１のモビリティ管理ネットワーク・エレメントは、ユーザ機器がＭＳＣ／ＶＬＲ登録を実行するか否かに関する情報を獲得し、具体的には、この方法において、第１のモビリティ管理ネットワーク・エレメントは、ユーザ機器が第１のモビリティ管理ネットワーク・エレメント側でＭＳＣ／ＶＬＲ登録を実行するか否か、または、ネットワーク側が、ＰＳドメインにおいて、ショート・メッセージ・サービスをユーザ機器に提供するか否かを決定する。対応する決定方法は、限定されることなく、以下を含むことがある。
（１１）ユーザの加入データがＰＳ限定強制型（回線ドメイン加入データなし）である場合、第１のモビリティ管理ネットワーク・エレメントは、ユーザＣＳ加入データが存在しないので、ユーザ機器がＭＳＣ／ＶＬＲに登録しないこと、または、ＭＳＣ／ＶＬＲへの登録に成功する可能性がないことを決定することがある。
ユーザ機器は、アクセス要求メッセージを送信するときにＳＭＳ限定（ショート・メッセージだけが必要）を指示し、加入データがＰＳ限定使用可能型（データ・ドメインのショート・メッセージ・サービス対応）である場合、第１のモビリティ管理ネットワーク・エレメントは、ユーザ機器がショート・メッセージをサポートすること（ＳＭＳ対応）、または、ネットワーク側が、ＰＳドメインにおいて、ショート・メッセージ・サービスをユーザ機器に提供することを指示する。本事例において、第１のモビリティ管理ネットワーク・エレメントは、ユーザ機器がＭＳＣ／ＶＬＲに登録しないことを決定することがあり、または、第１のモビリティ管理ネットワーク・エレメントもしくはユーザ機器は、ネットワーク側が、ＰＳドメインにおいて、ショート・メッセージ・サービスをユーザ機器に提供することを決定する。
（１２）ユーザ機器は、ＲＡＵ／アタッチ要求メッセージ中で、ユーザ機器がＬＡＵプロセスを実行するか否かを第１のモビリティ管理ネットワーク・エレメントに指示し、ユーザ機器がＬＡＵプロセスを実行する場合、第１のモビリティ管理ネットワーク・エレメントは、ユーザ機器がＭＳＣ／ＶＬＲ登録を実行することを決定し、そうではない場合、ユーザ機器がＭＳＣ／ＶＬＲ登録を実行しないことを決定する。あるいは、ユーザ機器は、ユーザ機器がＭＳＣ／ＶＬＲ登録を実行しているか否かを第１のモビリティ管理ネットワーク・エレメントにさらに直接的に指示することがある。
【００６４】
方法（１）では、第１のモビリティ管理ネットワーク・エレメントは、ユーザ機器が第１のモビリティ管理ネットワーク・エレメント上でＭＳＣ／ＶＬＲ登録を実行するか否かに関して、または、ネットワーク側が、ＰＳドメインにおいて、ショート・メッセージ・サービスをユーザ機器に提供するか否かに関して決定された情報を第２のモビリティ管理ネットワーク・エレメントに通知することがさらに必要である。具体的な通知プロセスは、以下を含むことがある。ユーザ機器が第２のモビリティ管理ネットワーク・エレメントに移動し、ＴＡＵプロセスを開始するとき、第２のモビリティ管理ネットワーク・エレメントは、第１のモビリティ管理ネットワーク・エレメントへのコンテキスト要求を開始し、この事例では、第１のモビリティ管理ネットワーク・エレメントは、コンテキスト応答メッセージ中で、ユーザ機器がＭＳＣ／ＶＬＲ登録を実行するか否かに関する、または、ネットワーク側が、ＰＳドメインにおいて、ショート・メッセージ・サービスをユーザ機器に提供するか否かに関する情報を第２のモビリティ管理ネットワーク・エレメントに通知する。
【００６５】
方法（２）：ユーザ機器は、ユーザ機器がＭＳＣ／ＶＬＲ登録を実行するか否か、または、ネットワーク側が、ＰＳドメインにおいて、ショート・メッセージ・サービスをユーザ機器に提供するか否かに関する情報を獲得し、この方法では、ユーザ機器は、ユーザ機器自体がＭＳＣ／ＶＬＲ登録を実行するか否か、または、ネットワーク側が、ＰＳドメインにおいて、ショート・メッセージ・サービスをユーザ機器に提供するか否かを決定することが必要である。対応する決定方法は、限定されることなく、以下を含むことがある。
（２１）ユーザ機器がセパレートＬＡＵ（ｓｅｐａｒａｔｅ  ＬＡＵ）もしくはコンバインドＲＡＵ（ｃｏｍｂｉｎｅｄ  ＲＡＵ）を開始しない、または、セパレートＬＡＵ（ｓｅｐａｒａｔｅ  ＬＡＵ）もしくはコンバインドＲＡＵ（ｃｏｍｂｉｎｅｄ  ＲＡＵ）を開始するが、ＭＳＣ／ＶＬＲへの登録に失敗した場合、ユーザ機器は、ＭＳＣ／ＶＬＲ登録を実行しない、と決定される。
（２２）ユーザ機器は、コンバインドＲＡＵおよびＬＡＵを開始し、ＳＭＳ限定を開始し、受信されたＲＡＵ許可（ＲＡＵ  ａｃｃｅｐｔ）メッセージがＳＭＳ対応（ショート・メッセージ・サービス対応）であることを指示する場合、ユーザ機器は、ＭＳＣ／ＶＬＲ登録を実行しない、または、ネットワーク側プロバイダは、ＰＳドメインにおいて、ショート・メッセージ・サービスをユーザ機器に提供する、と決定される。
【００６６】
方法（２）では、ユーザ機器は、ユーザ機器がＭＳＣ／ＶＬＲ登録を実行するか否かに関する情報を第２のモビリティ管理ネットワーク・エレメントに通知することがさらに必要である。具体的な通知プロセスは、以下を含むことがある。ユーザ機器が第２のモビリティ管理ネットワーク・エレメント側に移動し、ＴＡＵ手順を開始するとき、ユーザ機器が、ＴＡＵ要求メッセージ中で、ユーザ機器が第１のモビリティ管理ネットワーク・エレメント側でＭＳＣ／ＶＬＲ登録を実行するか否かに関する情報を第２のモビリティ管理ネットワーク・エレメントに送信する。
【００６７】
方法（３）：ＳＭＳサービング・ノードとしての第２のモビリティ管理ネットワーク・エレメントの登録取消に関してＨＳＳ／ＨＬＲによって送信され、受信されたメッセージを通じて、第２のモビリティ管理ネットワーク・エレメントは、ユーザ機器がＭＳＣ／ＶＬＲ登録を実行することに関する情報を獲得する。
【００６８】
この方法の実施プロセスは、具体的には以下を含むことがある。ユーザ機器が第１のモビリティ管理ネットワーク・エレメント側でＭＳＣ／ＶＬＲ登録を実行するとき、または、ネットワーク側が、ＰＳドメインにおいて、ショート・メッセージ・サービスをユーザ機器に提供しないとき、ＭＳＣ／ＶＬＲが登録のためメッセージをＨＳＳ／ＨＬＲに送信し（すなわち、ユーザ機器がＭＳＣ／ＶＬＲ登録を実行し）、ＨＳＳ／ＨＬＲが、第２のモビリティ管理ネットワーク・エレメントがショート・メッセージ・サービング・ノードとしてＨＳＳ／ＨＬＲに登録されることを決定し、ショート・メッセージ・サービング・ノードとしての機能を果たす第２のモビリティ管理ネットワークを取り消すメッセージを第２のモビリティ管理ネットワーク・エレメントに送信し、第２のモビリティ管理ネットワーク・エレメントが、メッセージに従って、ユーザ機器がＭＳＣ／ＶＬＲ登録を実行すること、または、ネットワーク側が、ＰＳドメインにおいて、ショート・メッセージ・サービスをユーザ機器に提供しないことを決定することがある。場合によっては、第２のモビリティ管理ネットワーク・エレメントは、ショート・メッセージを可能にするＰＳ加入データ加入データの組み合わせによって、ユーザ機器がＭＳＣ／ＶＬＲ登録を実行することを決定することがある。これに反して、第２のモビリティ管理ネットワーク・エレメントがこのメッセージを受信しない場合、ユーザ機器は、ＭＳＣ／ＶＬＲ登録を実行しないと決定されることがある。
【００６９】
ＳＭＳ登録取消メッセージは、ＳＭＳサービング・ノードとしての機能を果たすＭＭＥのＨＳＳ／ＨＬＲへの登録のみを取り消すが、ＭＭＥの別のＥＰＳ（進化型パケット・システム、ｅｖｏｌｏｖｅｄ  ｐａｃｋｅｔ  ｓｙｓｔｅｍ）サービスを取り消さない点に注意すべきである。ＨＳＳ／ＨＬＲを通じて、ＳＭＳサービング・ノードとしての第２のモビリティ管理ネットワーク・エレメントの登録を取り消すメッセージを送信する具体的な実施方法は、ＨＳＳ／ＨＬＲがメッセージをＭＭＥに送信し、本特許においては、このメッセージは、限定されることなく、位置取消（ｃａｎｃｅｌ  ｌｏｃａｔｉｏｎ）メッセージでもよく、このメッセージは、登録を取り消すように、「ＳＭＳ」である取消タイプ（ｃａｎｃｅｌｌａｔｉｏｎ  ｔｙｐｅ）情報要素を通じてＭＭＥに指示する。メッセージを受信した後に、ＭＭＥは、取消タイプがＳＭＳであることを決定し、ユーザコンテキストを取り消すことなく、ショート・メッセージ・サービスをユーザ機器に提供することだけを取り消し、そうではない場合、ＭＭＥは、ユーザコンテキストを取り消すというものである。すなわち、ＨＳＳ／ＨＬＲは、ユーザの非ＳＭＳサービスに影響を与えることなくＳＭＳ宛先ポイントとしての機能を果たすＭＭＥの登録を取り消すことをＭＭＥに通知し、ＳＭＳ登録取消メッセージを受信した後、ＭＭＥは、それでもなお非ＳＭＳサービスをユーザ機器に提供する。
【００７０】
ステップ３２：第２のモビリティ管理ネットワーク・エレメントは、ユーザ機器がＭＳＣ／ＶＬＲ登録を実行するか否か、もしくは、ネットワーク側が、ＰＳドメインにおいて、ショート・メッセージ・サービスをユーザ機器に提要するか否かに関する獲得された情報、または、ショート・メッセージ・サービング・ノードとしての機能を果たす第２のモビリティ管理ネットワーク・エレメントを取り消すことに関してＨＳＳによって送信され受信されたメッセージに従って、メッセージをＨＳＳもしくはＨＬＲに送信することと、ＩＳＲをアクティブ化しないこととのうちの少なくとも一方を実行すべきか否か、または、メッセージをＨＳＳもしくはＨＬＲに送信しないことと、ＩＳＲがアクティブ化されてもよいことを決定することとのうちの少なくとも一方を実行すべきか否かを決定する。
第２のモビリティ管理ネットワーク・エレメントは、ユーザ機器がＭＳＣ／ＶＬＲ登録を実行するか否か、もしくは、ネットワーク側が、ＰＳドメインにおいて、ショート・メッセージ・サービスをユーザ機器に提供するか否かに関する獲得された情報、または、ショート・メッセージ・サービング・ノードとしての機能を果たす第２のモビリティ管理ネットワーク・エレメントを取り消すことに関してＨＳＳによって送信されたメッセージがステップ３１において受信されたか否かに従って、メッセージをＨＳＳ／ＨＬＲに送信すべきか否か、およびショート・メッセージ・サービング・ノードとして登録されるべきか否かを具体的に決定することがある。位置更新動作を開始することは、具体的には、ユーザ機器がＭＳＣ／ＶＬＲ登録を実行しないか、もしくは、ネットワーク側が、ＰＳドメインにおいて、ショート・メッセージ・サービスをユーザ機器に提供するか、または、ショート・メッセージ・サービング・ノードとしての第２のモビリティ管理ネットワーク・エレメントの登録を取り消すことに関してＨＳＳによって送信されたメッセージがステップ３１において受信されない場合、第２のモビリティ管理ネットワーク・エレメントは、メッセージをＨＳＳ／ＨＬＲに送信することなく、すなわち、位置更新を開始することなく、それによって、通信ネットワークにおけるシグナリング相互作用を削減し、２重登録の障害問題の発生を回避する。ユーザ機器がＭＳＣ／ＶＬＲ登録を実行するか、もしくは、ネットワーク側が、ＰＳドメインにおいて、ショート・メッセージ・サービスをユーザ機器に提供しない場合、第２のモビリティ管理ネットワーク・エレメントは、ショート・メッセージ・サービング・ノードとして登録されるようにメッセージをＨＳＳ／ＨＬＲに送信することがある。あるいは、ショート・メッセージ・サービング・ノードとしての第２のモビリティ管理ネットワーク・エレメントの登録を取り消すことに関するＨＳＳによって送信されたメッセージがステップ３１で受信され、場合によっては、第２のモビリティ管理ネットワーク・エレメントは、ユーザがＰＳベースの加入データと組み合わせてショート・メッセージ・サービスを使用することを可能にさせることがあり、その結果、第２のモビリティ管理ネットワーク・エレメントは、ショート・メッセージ・サービング・ノードとして登録されるようにメッセージをＨＳＳ／ＨＬＲに送信することがある。従って、通信ネットワークにおけるＳＭＳのようなサービスの信頼できる伝送が確実なものとされる。具体的には、ユーザがＰＳ加入データに基づいてショート・メッセージ・サービスを使用することを可能にすることを決定する対応する方法は、以下を含むことがある。第２のモビリティ管理ネットワーク・エレメントがユーザ機器のトラッキング・エリア更新要求もしくはコンバインド・トラッキング・エリア更新要求を受信し、この要求が「ＳＭＳ限定」指示を含む場合、第２のモビリティ管理ネットワーク・エレメントは、ユーザのＰＳ加入データに従って、ユーザがショート・メッセージ・サービスを使用することを許可されることを得ることがある。
あるいは、第２のモビリティ管理ネットワーク・エレメントは、ユーザ機器がＭＳＣ／ＶＬＲ登録を実行するか否か、もしくは、ネットワーク側が、ＰＳドメインにおいて、ショート・メッセージ・サービスをユーザ機器に提供するか否かに関する獲得された情報、または、ショート・メッセージ・サービング・ノードとしての第２のモビリティ管理ネットワーク・エレメントの登録を取り消すことに関するＨＳＳによって送信されたメッセージがステップ３１で受信されたか否かに従って、ＩＳＲをアクティブ化する動作を開始するか否かをさらに決定することがあり、このことは、具体的には以下を含む。ユーザ機器がＭＳＣ／ＶＬＲ登録を実行するか、もしくは、ネットワーク側が、ＰＳドメインにおいて、ショート・メッセージ・サービスをユーザ機器に提供することがないか、または、ショート・メッセージ・サービング・ノードとしての第２のモビリティ管理ネットワーク・エレメントの登録を取り消すことに関するＨＳＳによって送信されたメッセージがステップ３１で受信されなかった場合、第２のモビリティ管理ネットワーク・エレメントがＩＳＲをアクティブ化する動作を開始する。ユーザ機器がＭＳＣ／ＶＬＲ登録を実行しない、もしくは、ネットワーク側が、ＰＳドメインにおいて、ショート・メッセージ・サービスをユーザ機器に提供する場合、第２のモビリティ管理ネットワーク・エレメントは、ＩＳＲをアクティブ化する動作を開始しない。あるいは、ショート・メッセージ・サービング・ノードとしての第２のモビリティ管理ネットワーク・エレメントの登録を取り消すことに関するＨＳＳによって送信されたメッセージがステップ３１で受信された場合、場合によっては、第２のモビリティ管理ネットワーク・エレメントがショート・メッセージを可能にするＰＳ加入を組み合わせることがあり、第２のモビリティ管理ネットワーク・エレメントは、ＩＳＲをアクティブ化する動作を開始することなく、それによって、通信システムにおけるシグナリング伝送を削減し、ネットワークリソースを節約する。
【００７１】
本実施形態では、相応して、ステップ３１および３２は、連続して行われる２ステップであることが必要とされることなく、具体的には、対応するマーキングは、ステップ３１が実行された後に行われ、実行を必要とするとき、後続のステップ３２は、対応するマークだけに従って実行される必要がある動作を決定することがある。
たとえば、第２のモビリティ管理ネットワーク・エレメントとしての機能を果たすことがあるＭＭＥは、ステップ３１の実行結果に従って対応するマークを設定することがあり、その結果、後続のＴＡＵまたはコンバインドＴＡＵ手順において、ＭＭＥは、マークに従って、メッセージをＨＳＳ／ＨＬＲに送信すべきか否かを決定することがある。あるいは、ＭＭＥは、マークに従って、後続の処理手順においてＩＳＲをアクティブ化すべきか否かを決定することがある。あるいは、ＭＭＥは、マークに従って、メッセージをＨＳＳ／ＨＬＲに送信することを実行すべきか否か、および、必要に応じてＩＳＲをアクティブ化すべきか否かを決定することがある。
【００７２】
ステップ３１では、ＭＭＥがＳＭＳサービング・ノードとしての登録を取り消すことに関するメッセージを受信することを一例として挙げる。本事例では、対応するマークが設定されることがあり、その後、ＭＭＥがＭＭＥ機能においてＳＭＳに対応し、マークに従って、ＨＳＳ／ＨＬＲがＳＭＳサービング・ノードとしての機能を果たすＭＭＥの登録を取り消すことを得る場合、ＭＭＥは、ＨＳＳ／ＨＬＲがＳＭＳサービング・ノードとしてＭＭＥを記録し、ＭＳＣ／ＶＬＲ登録を取り消すように、メッセージをＨＳＳ／ＨＬＲに送信する必要がある。代替的に、ＭＭＥは、ＳＭＳサービング・ノードとしての機能を果たすＭＭＥの登録を取り消すことに関するメッセージを受信したとき、対応するマークを設定し、その結果、後続の処理手順（たとえば、ＴＡＵまたはコンバインドＴＡＵ手順）において、ＭＭＥがＭＭＥ機能内のＳＭＳに対応し、マークに従って、ＨＳＳ／ＨＬＲがＳＭＳサービング・ノードとしての機能を果たすＭＭＥの登録を取り消すことを得る場合、ＭＭＥは、ＩＳＲをアクティブ化する可能性がなく、そうではない場合、ＭＭＥは、ＩＳＲをアクティブ化する可能性がある。
【００７３】
上記説明の過程で、第２のモビリティ管理ネットワーク・エレメントが対応する間接的な指示を受信することは、例示のための一例として挙げられただけであり、以下では、本発明の実施形態の具体的な実施プロセスは、第２のモビリティ管理ネットワーク・エレメントが対応する直接的な指示を受信することを一例として挙げることによって例示され、このことは、以下を含む。
【００７４】
（Ｉ）第２のモビリティ管理ネットワーク・エレメントは、指示情報を受信し、対応する指示情報は、メッセージをＨＳＳ／ＨＬＲに送信する少なくとも１つの動作を実行すべきか否か、および、ＩＳＲをアクティブ化すべきか否かを指示するために直接的に使用されるので、指示情報は、直接的な指示情報と呼ばれることがある。
【００７５】
相応して、直接的な指示情報は、具体的に、第１のモビリティ管理ネットワーク・エレメントまたはユーザ機器によって第２のモビリティ管理ネットワーク・エレメントに送信されることがあり、具体的な送信プロセスは、限定されることなく、以下を含むことがある。
第１のモビリティ管理ネットワーク・エレメントもしくはユーザ機器が、ユーザ機器は、ＭＳＣ／ＶＬＲ登録を実行しないこと、もしくは、ネットワーク側が、ＰＳドメインにおいて、ショート・メッセージ・サービスをユーザ機器に提供することを決定する場合、メッセージをＨＳＳ／ＨＬＲに送信しないことを指示する指示情報を第２のモビリティ管理ネットワーク・エレメントに送信する。第１のモビリティ管理ネットワーク・エレメントもしくはユーザ機器が、ユーザ機器がＭＳＣ／ＶＬＲ登録を実行する、もしくは、ネットワーク側が、ＰＳドメインにおいて、ショート・メッセージ・サービスをユーザ機器に提供しないことを決定した場合、メッセージをＨＳＳ／ＨＬＲに送信することを指示する指示情報を第２のモビリティ管理ネットワーク・エレメントに送信する。
あるいは、第１のモビリティ管理ネットワーク・エレメントもしくはユーザ機器が、ユーザ機器がＭＳＣ／ＶＬＲ登録を実行しないこと、もしくは、ネットワーク側が、ＰＳドメインにおいて、ショート・メッセージ・サービスをユーザ機器に提供することを決定する場合、ＩＳＲがアクティブ化されてもよいことが決定されたことを指示する指示情報を第２のモビリティ管理ネットワーク・エレメントに送信する。第１のモビリティ管理ネットワーク・エレメントもしくはユーザ機器が、ユーザ機器がＭＳＣ／ＶＬＲ登録を実行すること、もしくは、ネットワーク側が、ＰＳドメインにおいて、ショート・メッセージ・サービスをユーザ機器に提供しないことを決定する場合、ＩＳＲをアクティブ化しないことを指示する指示情報を第２のモビリティ管理ネットワーク・エレメントに送信する。
あるいは、第１のモビリティ管理ネットワーク・エレメントもしくはユーザ機器が、ユーザ機器がＭＳＣ／ＶＬＲ登録を実行しないこと、もしくは、ネットワーク側が、ＰＳドメインにおいて、ショート・メッセージ・サービスをユーザ機器に提供することを決定する場合、メッセージをＨＳＳ／ＨＬＲに送信しないことを指示し、かつ、ＩＳＲがアクティブ化されてもよいことが決定されたことを指示する指示情報を第２のモビリティ管理ネットワーク・エレメントに送信する。第１のモビリティ管理ネットワーク・エレメントもしくはユーザ機器が、ユーザ機器がＭＳＣ／ＶＬＲ登録を実行すること、もしくは、ネットワーク側が、ＰＳドメインにおいて、ショート・メッセージ・サービスをユーザ機器に提供しないことを決定した場合、メッセージをＨＳＳ／ＨＬＲに送信すること、および、ＩＳＲをアクティブ化しないことを指示する指示情報を第２のモビリティ管理ネットワーク・エレメントに送信する。
【００７６】
上記処理手順において、第１のモビリティ管理ネットワーク・エレメントもしくはユーザ機器が、ユーザ機器がＭＳＣ／ＶＬＲ登録を実行するか否か、または、ネットワーク側が、ＰＳドメインにおいて、ショート・メッセージ・サービスをユーザ機器に提供するか否かを決定する対応する方法は、上記実施形態において説明され、方法（１）および方法（２）についての説明が参照されることがあり、詳細は、ここで繰り返して説明しない。
【００７７】
（ＩＩ）第２のモビリティ管理ネットワーク・エレメントは、受信された指示情報に従って、メッセージをＨＳＳもしくはＨＬＲに送信することと、ＩＳＲをアクティブ化することとのうちの少なくとも一方を実行すべきか、または、メッセージをＨＳＳもしくはＨＬＲに送信しないことと、ＩＳＲがアクティブ化されてもよいことを決定することとのうちの少なくとも一方を実行すべきかを直接的に決定する。
【００７８】
異なった受信された指示情報に従って、メッセージをＨＳＳもしくはＨＬＲに送信することと、ＩＳＲをアクティブ化しないこととのうちの少なくとも一方を実行するか、または、メッセージをＨＳＳもしくはＨＬＲに送信しないことと、ＩＳＲがアクティブ化されてもよいことを決定することとのうちの少なくとも一方を実行するかを決定する対応する動作は、限定されることなく、以下を含むことがある。
第２のモビリティ管理ネットワーク・エレメントがメッセージをＨＳＳ／ＨＬＲに送信しないことを指示する指示情報を受信する場合、メッセージをＨＳＳ／ＨＬＲに送信することなく、たとえば、対応する位置更新動作を開始しない。第２のモビリティ管理ネットワーク・エレメントがメッセージをＨＳＳ／ＨＬＲに送信することを指示する指示情報を受信する場合、位置更新動作などを開始するようにメッセージをＨＳＳ／ＨＬＲに送信する動作を実行する。
あるいは、第２のモビリティ管理ネットワーク・エレメントが、ＩＳＲがアクティブ化されてもよいことが決定されたことを指示する指示情報を受信する場合、ＩＳＲをアクティブ化する動作を実行する。第２のモビリティ管理ネットワーク・エレメントがＩＳＲをアクティブ化しないことを指示する指示情報を受信する場合、ＩＳＲをアクティブ化することなく、ＳＧＷによって、第２のモビリティ管理ネットワーク・エレメントとのシグナリング相互作用を実行するが、第１のモビリティ管理ネットワーク・エレメントとのシグナリング相互作用を実行することなく、それによって、第１のモビリティ管理ネットワーク・エレメント側でリソースを節約する。
あるいは、第２のモビリティ管理ネットワーク・エレメントがメッセージをＨＳＳ／ＨＬＲに送信しないことを指示し、かつ、ＩＳＲがアクティブ化されてもよいことが決定されたことを指示する指示情報を受信する場合、メッセージをＨＳＳ／ＨＬＲに送信することなく、かつ、ＩＳＲをアクティブ化する動作を実行する。第２のモビリティ管理ネットワーク・エレメントがメッセージをＨＳＳ／ＨＬＲに送信し、かつ、ＩＳＲをアクティブ化しないことを指示する指示情報を受信した場合、メッセージをＨＳＳ／ＨＬＲに送信し、かつ、ＩＳＲをアクティブ化しない動作を実行し、ＳＧＷによって、第２のモビリティ管理ネットワーク・エレメントとのシグナリング相互作用を実行するが、第１のモビリティ管理ネットワーク・エレメントとのシグナリング相互作用を実行することなく、それによって、第１のモビリティ管理ネットワーク・エレメント側でリソースを節約する。
【００７９】
同様に、本実施形態では、対応するステップ（Ｉ）およびステップ（ＩＩ）は、連続して実行される２ステップであることが必要とされることなく、具体的には、対応するマーキングは、対応する指示情報がステップ（Ｉ）において受信された後に実行されることがあり、その後、後続のステップ（ＩＩ）が実行される必要があるとき、対応するマークに従って、対応する動作が実行される必要があるか否かが決定されることがある。
【００８０】
本発明の実施形態が、ＭＭＥがメッセージをＨＳＳ／ＨＬＲに送信するか否かの処理手順を制御するために通信システムにおいて適用される場合、ユーザ機器がＧＥＲＡＮ／ＵＴＲＡＮネットワーク内のＭＳＣ／ＶＬＲに登録しないとき、ＨＳＳ／ＨＬＲは、ＳＭＳ宛先ポイントとして機能するＭＭＥに関する情報を有するので、本事例において、ＭＭＥは、ＨＳＳ／ＨＬＲがこのＭＭＥをＳＭＳ宛先ポイントに設定することを指示するメッセージをＨＳＳ／ＨＬＲに送信する必要がなく、それによって、ＭＭＥとＨＳＳ／ＨＬＲとの間のシグナリング相互作用を削減する。ユーザ機器がＧＥＲＡＮ／ＵＴＲＡＮネットワーク内のＭＳＣ／ＶＬＲに登録するとき（本事例では、ＨＳＳ／ＨＬＲは、ＭＳＣ／ＶＬＲだけをＳＭＳ宛先ポイントに設定する）、ＵＥ／ＨＳＳ／ＨＬＲ／ＳＧＳＮは、ユーザ機器がＭＭＥに登録し、ＭＭＥがＭＭＥ内のＳＭＳに対応するとき、ショート・メッセージの宛先ポイントとしてＭＭＥを設定することをＨＳＳ／ＨＬＲに通知するように、直接的または間接的な指示を通じて、メッセージをＨＳＳ／ＨＬＲに送信することが必要とされることをＭＭＥに通知し、その結果、ユーザ機器に送信されたショート・メッセージがＭＳＣ／ＶＬＲに送信されること、および、ユーザ機器がＭＭＥにアタッチされているためにショート・メッセージがユーザ機器に送信され得ないというユーザのショート・メッセージ・サービスの実行に影響を与えることが回避されることがある。
【００８１】
本発明の実施形態が、ＭＭＥがＩＳＲをアクティブ化するか否かの処理手順を制御するために通信システムにおいて適用される場合、ユーザ機器がＧＥＲＡＮ／ＵＴＲＡＮネットワーク内のＭＳＣ／ＶＬＲに登録しないとき、指示情報に従って、ＭＭＥは、ＩＳＲをアクティブ化することがあり、その結果、ユーザがＧＥＲＡＮ／ＵＴＲＡＮネットワークに戻るとき、ＭＳＣ／ＶＬＲに登録することが必要とされないので、セパレートＬＡＵもしくはコンバインド・ルート・エリア更新手順は、ＭＭＥによって割り付けられた非ブロードキャストＬＡＩがブロードキャスト中のＬＡＩ（位置エリア識別子、ｌｏｃａｔｉｏｎ  ａｒｅａ  ｉｄｅｎｔｉｆｉｅｒ）とは異なるので、開始されることなく、それによって、ユーザ機器のシグナリングを削減する。ユーザ機器がＧＥＲＡＮ／ＵＴＲＡＮ内のＭＳＣ／ＶＬＲに登録するとき、ユーザ機器は、ＧＥＲＡＮ／ＵＴＲＡＮ内のセパレートＬＡＵまたはコンバインド・ルート・エリア更新手順をいつでも開始するので、指示情報に従って、ＭＭＥは、ＩＳＲをアクティブ化することなく、ＳＧＷは、第２のモビリティ管理ネットワーク・エレメントとの相互作用を行い、第１のモビリティ管理ネットワーク・エレメントとの相互作用を行わない。その結果、ＳＧＷとＳＧＳＮとの間の少なくともシグナリング相互作用は、削減されることがあり、同時に、ＳＧＳＮがユーザを呼び出すことが回避され、それによって、ＧＥＲＡＮ／ＵＴＲＡＮのページングリソースを節約する。
【００８２】
上記実施形態をさらに理解するために、本発明の実施形態の具体的な適用プロセスが具体的なメッセージ伝送手順と組み合わせて以下で説明される。
【００８３】
（実施例１）
本実施形態では、具体的には、第２のモビリティ管理ネットワーク・エレメントは、第１のモビリティ管理ネットワーク・エレメントを通じて、ユーザ機器がＭＳＣ／ＶＬＲ登録を実行するか否か、または、ネットワーク側が、ＰＳドメインにおいて、ショート・メッセージ・サービスをユーザ機器に提供するか否かを得て、ユーザ機器がＭＳＣ／ＶＬＲ登録を実行するか否か、または、ネットワーク側が、ＰＳドメインにおいて、ショート・メッセージ・サービスをユーザ機器に提供するか否かに従って、位置更新動作を開始するためにメッセージをＨＳＳ／ＨＬＲに送信すべきか否かを決定することが、一例として挙げられる。図４Ａおよび図４Ｂに示されるように、対応する具体的な実施プロセスは、以下を含むことがある。
【００８４】
ステップ４１：ユーザ機器は、（ＳＧＳＮのような）第１のモビリティ管理ネットワーク・エレメント側で、ＲＡＵ／アタッチ（ルート・エリア更新／アタッチ）要求またはコンバインドＲＡＵ／ＬＡＵ／アタッチ（コンバインド・ルート・エリア更新および位置エリア更新／アタッチ）要求を開始する。
【００８５】
ステップ４２：第１のモビリティ管理ネットワーク・エレメントは、ユーザ機器がＭＳＣ／ＶＬＲ登録を実行するか否か、または、ネットワーク側が、ＰＳドメインにおいて、ショート・メッセージ・サービスをユーザ機器に提供するか否かを決定する。
【００８６】
具体的には、ユーザ機器がＭＳＣ／ＶＬＲ登録を実行するか否か、または、ネットワーク側が、ＰＳドメインにおいて、ショート・メッセージ・サービスをユーザ機器に提供するか否かを決定する方法は、限定されることなく、以下の方法のうちのいずれかを含むことがある。
【００８７】
方法１：ユーザの加入データがＰＳ限定強制型（回線ドメイン加入データなし）である場合、ユーザＣＳ加入データが存在しないので、第１のモビリティ管理ネットワーク・エレメントは、ユーザ機器がＭＳＣ／ＶＬＲに登録しないこと、または、ＭＳＣ／ＶＬＲへの登録に成功し得ないことを決定することがあり、その結果、ユーザ機器がＭＳＣ／ＶＬＲに登録しないこと、もしくは、ネットワーク側が、ＰＳドメインにおいて、ショート・メッセージ・サービスをユーザ機器に提供することが決定されることがある。
ユーザ機器は、コンバインドＲＡＵ／アタッチまたはＲＡＵ／アタッチを開始するとき、ＳＭＳ限定（ショート・メッセージだけが必要）を指示し、加入データがＰＳ限定使用可能型（データ・ドメインのショート・メッセージ・サービス対応）である場合、第１のモビリティ管理ネットワーク・エレメントは、ユーザ機器がショート・メッセージに対応すること（ＳＭＳ対応）、もしくは、ネットワーク側が、ＰＳドメインにおいて、ショート・メッセージ・サービスをユーザ機器に提供することを指示する。これに基づいて、第１のモビリティ管理ネットワーク・エレメントは、ユーザ機器がＭＳＣ／ＶＬＲに登録しないことを決定すること、または、ネットワーク側が、ＰＳドメインにおいて、ショート・メッセージ・サービスをユーザ機器に提供することを決定することがある。
【００８８】
方法２：ユーザ機器は、ＲＡＵもしくはアタッチ要求中で、ユーザ機器がＭＳＣ／ＶＬＲに登録すること、または、ネットワーク側が、ＰＳドメインにおいて、ショート・メッセージ・サービスをユーザ機器に提供しないことを第１のモビリティ管理ネットワーク・エレメントに指示する。
【００８９】
ステップ４３：第１のモビリティ管理ネットワーク・エレメントは、ＲＡＵ許可（ＲＡＵ  ａｃｃｅｐｔ）またはアタッチ許可（ａｔｔａｃｈ  ａｃｃｅｐｔ）メッセージをユーザ機器に返送する。
【００９０】
ステップ４４：ユーザ機器は、ＬＴＥ側に移動し、第２のモビリティ管理ネットワーク・エレメントに対するＴＡＵ（トラッキング・エリア更新）要求を開始する。
【００９１】
ステップ４５：（ＭＭＥのような）第２のモビリティ管理ネットワーク・エレメントは、ユーザメッセージを要求するためにコンテキスト要求メッセージを第１のモビリティ管理ネットワーク・エレメントに送信する。
【００９２】
ステップ４６：第１のモビリティ管理ネットワーク・エレメントは、ユーザ機器がＭＳＣ／ＶＬＲ登録を実行するか否か、または、ネットワーク側が、ＰＳドメインにおいて、ショート・メッセージ・サービスをユーザ機器に提供するか否かに関する情報を搬送するコンテキスト応答メッセージを返送する。
ユーザ機器がＭＳＣ／ＶＬＲに登録するか否か、または、ネットワーク側が、ＰＳドメインにおいて、ショート・メッセージ・サービスをユーザ機器に提供するか否かに関する情報は、ステップ４２における決定を通じて獲得される。
【００９３】
ステップ４７：第２のモビリティ管理ネットワーク・エレメントは、ユーザ機器がＭＳＣ／ＶＬＲ登録を実行するか否か、または、ネットワーク側が、ＰＳドメインにおいて、ショート・メッセージ・サービスをユーザに提供するか否かに関して獲得された情報に従って、位置更新を開始するか否かを決定する。ユーザ機器がＭＳＣ／ＶＬＲ登録を実行しないか、または、ネットワーク側が、ＰＳドメインにおいて、ショート・メッセージ・サービスをユーザ機器に提供する場合、位置更新を開始しない。そうではない場合、対応する位置更新動作を開始するためにステップ４８を実行する。
【００９４】
ステップ４８：第２のモビリティ管理ネットワーク・エレメントが、ユーザ機器が第１のモビリティ管理ネットワーク・エレメント側でＭＳＣ／ＶＬＲ登録を実行すること、または、ネットワーク側が、ＰＳドメインにおいて、ショート・メッセージ・サービスをユーザ機器に提供しないことを決定する場合、第２のモビリティ管理ネットワーク・エレメントは、位置更新動作を開始するために、位置更新要求をＨＳＳ／ＨＬＲに送信する。
【００９５】
ステップ４９：対応する位置更新要求を受信した後、ＨＳＳ／ＨＬＲは、ＭＳＣ／ＶＬＲ登録を取り消す。
【００９６】
ステップ４１０：第２のモビリティ管理ネットワーク・エレメントは、ユーザ機器がＭＳＣ／ＶＬＲ登録を実行するか否か、または、ネットワーク側が、ＰＳドメインにおいて、ショート・メッセージ・サービスをユーザ機器に提供するか否かに従って、ＩＳＲをアクティブ化すべきか否かを決定する。具体的には、ユーザ機器がＭＳＣ／ＶＬＲ登録を実行するか、または、ネットワーク側が、ＰＳドメインにおいて、ショート・メッセージ・サービスをユーザ機器に提供しない場合、第２のモビリティ管理ネットワーク・エレメントは、ＩＳＲをアクティブ化することなく、ＳＧＷは、第２のモビリティ管理ネットワーク・エレメントとのシグナリング相互作用を実行し、かつ、第１のモビリティ管理ネットワーク・エレメントとのシグナリング相互作用を実行することなく、それによって、第１のモビリティ管理ネットワーク・エレメント側でリソースを節約する。そうではない場合、すなわち、ユーザ機器がＭＳＣ／ＶＬＲ登録を実行しないか、または、ネットワーク側が、ＰＳドメインにおいて、ショート・メッセージ・サービスをユーザ機器に提供するとき、相応して、第２のモビリティ管理ネットワーク・エレメントは、ＩＳＲをアクティブ化することが必要である。
【００９７】
ステップ４１０を実行することにより、ユーザ機器がＭＳＣ／ＶＬＲ登録を実行しないか、または、ネットワーク側が、ＰＳドメインにおいて、ショート・メッセージ・サービスをユーザ機器に提供するとき、ＭＭＥは、ＩＳＲをアクティブ化するために使用可能にされることがあり、それによって、ユーザ機器のシグナリングを削減する。ユーザ機器がＭＳＣ／ＶＬＲ登録を実行するか、または、ネットワーク側が、ＰＳドメインにおいて、ショート・メッセージ・サービスをユーザ機器に提供しないとき、ＭＭＥは、ＩＳＲをアクティブ化することなく、ＳＧＷは、第２のモビリティ管理ネットワーク・エレメントとのシグナリング相互作用を実行し、かつ、第１のモビリティ管理ネットワーク・エレメントとのシグナリング相互作用を実行することなく、それによって、ＳＧＷとＳＧＳＮとの間のシグナリング相互作用が削減され、同時に、ＳＧＳＮがユーザを呼び出すことが回避され、それによって、ＧＥＲＡＮ／ＵＴＲＡＮのページングリソースを節約する。
【００９８】
実施形態１では、対応する位置更新手順は、ユーザ機器が第１のモビリティ管理ネットワーク・エレメント側でＭＳＣ／ＶＬＲ登録を実行するか、または、ネットワーク側が、ＰＳドメインにおいて、ショート・メッセージ・サービスをユーザ機器に提供しないときに限り、対応するＭＳＣ／ＶＬＲ登録を取り消すように実行されることが実施される。ユーザ機器が第１のモビリティ管理ネットワーク・エレメント側でＭＳＣ／ＶＬＲ登録を実行しない事例において、位置更新動作は、開始されることなく、それによって、シグナリング伝送を削減し、ネットワークリソースを節約する。
【００９９】
（実施例２）
本実施形態では、（ＭＭＥのような）第２のモビリティ管理ネットワーク・エレメントは、ユーザ機器を通じて、（ＳＧＳＮのような）第１のモビリティ管理ネットワーク・エレメント側でＭＳＣ／ＶＬＲ登録を実行すべきか否か、または、ネットワーク側が、ＰＳドメインにおいて、ショート・メッセージ・サービスをユーザ機器に提供するか否かを得て、ユーザ機器がＭＳＣ／ＶＬＲ登録を実行するか否か、または、ネットワーク側が、ＰＳドメインにおいて、ショート・メッセージ・サービスをユーザ機器に提供するか否かに従って、位置更新動作を開始するためにメッセージをＨＳＳ／ＨＬＲに送信すべきか否かを決定することが、一例として挙げられる。図５Ａおよび図５Ｂに示されるように、対応する具体的な実施プロセスは、以下を含むことがある。
【０１００】
ステップ５１：ユーザ機器は、第１のモビリティ管理ネットワーク・エレメント側でＲＡＵ／アタッチ要求またはコンバインドＲＡＵ／アタッチ要求を開始する。
【０１０１】
ステップ５２：第１のモビリティ管理ネットワーク・エレメントは、要求メッセージに従って、ＭＳＣ／ＶＬＲ登録を実行すべきか否か、または、ネットワーク側が、ＰＳドメインにおいて、ショート・メッセージ・サービスをユーザ機器に提供するか否かを決定する。
【０１０２】
ステップ５３：第１のモビリティ管理ネットワーク・エレメントは、ＲＡＵ許可メッセージをユーザ機器に返送する。
【０１０３】
ステップ５４：ユーザ機器は、ＭＳＣ／ＶＬＲに登録するか否か、または、ネットワーク側が、ＰＳドメインにおいて、ショート・メッセージ・サービスをユーザ機器に提供するか否かを決定する。
【０１０４】
このステップでは、ＭＳＣ／ＶＬＲに登録すべきか否か、または、ネットワーク側が、ＰＳドメインにおいて、ショート・メッセージ・サービスをユーザ機器に提供するか否かを決定する対応する方法は、限定されることなく、以下の方法のうちのいずれか１つを含むことがある。
【０１０５】
方法１：ユーザ機器がＭＳＣ／ＶＬＲ登録を開始しない、または、ＭＳＣ／ＶＬＲへの登録に成功しない場合、ユーザ機器は、ＭＳＣ／ＶＬＲに登録しないこと、または、ネットワーク側が、ＰＳドメインにおいて、ショート・メッセージ・サービスをユーザ機器に提供することが決定される。
【０１０６】
方法２：ユーザ機器は、コンバインドＲＡＵ／アタッチ要求を開始し、ＳＭＳ限定を指示し、その後、ユーザ機器によって受信されたＲＡＵ許可メッセージが「ＳＭＳ対応」を指示する場合、ユーザ機器がＭＳＣ／ＶＬＲに登録しないこと、または、ネットワーク側が、ＰＳドメインにおいて、ショート・メッセージ・サービスをユーザ機器に提供することが決定される。
【０１０７】
ステップ５５：ユーザ機器は、ＬＴＥ側に移動し、第２のモビリティ管理ネットワーク・エレメントに対するＴＡＵ要求またはコンバインドＴＡＵ／ＬＡＵ要求を開始し、ステップ５４に従って決定され、ユーザ機器がＭＳＣ／ＶＬＲに登録するか否か、または、ネットワーク側が、ＰＳドメインにおいて、ショート・メッセージ・サービスをユーザ機器に提供するか否かを指示する識別子を要求メッセージ中で搬送する。
【０１０８】
ステップ５５を通じて、ユーザ機器は、対応する指示情報を第２のモビリティ管理ネットワーク・エレメントに送信することがある。具体的には、ユーザ機器は、指示情報として、ユーザ機器がＭＳＣ／ＶＬＲに登録するか否か、または、ネットワーク側が、ＰＳドメインにおいて、ショート・メッセージ・サービスをユーザ機器に提供するか否かを使用し、この指示情報を第２のモビリティ・ネットワーク・エレメントに送信する。
【０１０９】
ステップ５６：第２のモビリティ管理ネットワーク・エレメントは、ＴＡＵ要求またはコンバインドＴＡＵ／ＬＡＵ要求メッセージを受信し、要求メッセージ中で搬送され、ユーザ機器がＭＳＣ／ＶＬＲに登録するか否か、もしくは、ネットワーク側が、ＰＳドメインにおいて、ショート・メッセージ・サービスをユーザ機器に提供するか否かを指示する識別子に従って、位置更新要求を開始すべきか否かを決定する。
【０１１０】
具体的には、第２のモビリティ管理ネットワーク・エレメントは、要求メッセージ中で搬送され、ユーザ機器がＭＳＣ／ＶＬＲに登録するか否かを指示する識別子に従って、ユーザ機器が第１のモビリティ管理ネットワーク・エレメント側でＭＳＣ／ＶＬＲ登録を実行しないこと、または、ネットワーク側が、ＰＳドメインにおいて、ショート・メッセージ・サービスをユーザ機器に提供することを決定した場合、第２のモビリティ管理ネットワーク・エレメントは、メッセージをＨＳＳ／ＨＬＲに送信することなく、すなわち、位置更新要求を開始しない。そうではない場合、対応する位置更新処理手順を開始するためにステップ５７を実行する。
【０１１１】
ステップ５７：第２のモビリティ管理ネットワーク・エレメントが、ＴＡＵ要求またはコンバインドＴＡＵ／ＬＡＵ要求メッセージが、ユーザ機器がＭＳＣ／ＶＬＲに登録するか否か、もしくは、ネットワーク側が、ＰＳドメインにおいて、ショート・メッセージ・サービスをユーザ機器に提供するか否かを指示する識別子を搬送しないこと、または、ＴＡＵ要求もしくはコンバインドＴＡＵ／ＬＡＵ要求メッセージが、ユーザ機器がＭＳＣ／ＶＬＲに登録することを指示する識別子を搬送することを決定した場合、すなわち、第２のモビリティ管理ネットワーク・エレメントが、ユーザ機器がＭＳＣ／ＶＬＲ登録を実行すること、もしくは、ネットワーク側が、ＰＳドメインにおいて、ショート・メッセージ・サービスをユーザ機器に提供しないことを決定した場合、第２のモビリティ管理ネットワーク・エレメントは、位置更新動作を開始するために位置更新要求メッセージをＨＳＳ／ＨＬＲに送信する。
【０１１２】
ステップ５８：ＨＳＳ／ＨＬＲが第２のモビリティ管理ネットワーク・エレメントの位置更新要求を受信した後に、ＨＳＳ／ＨＬＲは、ＭＳＣ／ＶＬＲへのユーザ機器の登録を取り消し、ＳＭＳサービスの宛先ポイントとして（ＭＭＥのような）第２のモビリティ管理ネットワーク・エレメントを使用するので、ＳＭＳサービスは、ユーザ機器に送信されたＳＭＳサービスをＭＳＣ／ＶＬＲに伝送するのではなく、第２のモビリティ管理ネットワーク・エレメントを通じてユーザ機器に送信され、それによって、第２のモビリティ管理ネットワーク・エレメントに移動するユーザ機器が第２のモビリティ管理ネットワーク・エレメントに基づいてＳＭＳサービスを正常に実施し得ることを確実なものとする。
【０１１３】
実施形態２では、同様に、ＳＭＳサービスがユーザ機器に確実に伝送されることを確実なものとするために、対応する位置更新手続が、ユーザ機器がＭＳＣ／ＶＬＲ登録を実行する、もしくは、ネットワーク側が、ＰＳドメインにおいて、ショート・メッセージ・サービスをユーザ機器に提供しないときに限り実行されることが実施されることがある。ユーザ機器がＭＳＣ／ＶＬＲ登録を実行しない、もしくは、ネットワーク側が、ＰＳドメインにおいて、ショート・メッセージ・サービスをユーザ機器に提供する事例では、位置更新要求は、開始されることがなく、それによって、シグナリング伝送を削減し、通信ネットワークにおけるリソースを節約し、通信ネットワークの性能を改善する。
【０１１４】
（実施例３）
本実施形態では、具体的には、ＨＳＳ／ＨＬＲがショート・メッセージ・サービング・ノードとしての（ＭＭＥのような）第２のモビリティ管理ネットワーク・エレメントの登録を取り消し、第２のモビリティ管理が位置更新動作を開始するためにメッセージをＨＳＳ／ＨＬＲに送信すべきか否かを決定するように、第２のモビリティ管理ネットワーク・エレメントに通知する実施方法が一例として挙げられる。図６に示されるように、具体的な実施プロセスは、以下を含むことがある。
【０１１５】
ステップ６１：ユーザ機器は、（ＳＧＳＮのような）第１のモビリティ管理ネットワーク・エレメント側でコンバインドＲＡＵ／ＬＡＵ要求を開始する。
【０１１６】
ステップ６２：第１のモビリティ管理ネットワーク・エレメントは、要求メッセージに従って、ＭＳＣ／ＶＬＲ登録を実行すべきか否かを決定し、ＭＳＣ／ＶＬＲ登録が開始されない場合、ステップ６８を実行し、ＭＳＣ／ＶＬＲ登録が開始される場合、ステップ６３を実行する。
【０１１７】
ステップ６３：第１のモビリティ管理ネットワーク・エレメントは、位置更新メッセージをＭＳＣ／ＶＬＲに送信する。
【０１１８】
ステップ６１〜６３は、単にユーザ機器がＭＳＣに登録するための方法を提供し、本発明は、この方法に限定されることがなく、たとえば、ユーザ機器は、第１のモビリティ管理ネットワーク・エレメントを介することなく、位置更新要求をＭＳＣ／ＶＬＲに直接的に送信することがあることに注意すべきである。
【０１１９】
ステップ６４：位置更新メッセージを受信した後、ＭＳＣ／ＶＬＲは、位置更新要求をＨＳＳ／ＨＬＲに送信する。
【０１２０】
ステップ６５：位置更新要求を受信した後、ＨＳＳ／ＨＬＲは、ユーザ機器がＭＳＣ／ＶＬＲ登録を実行することを決定し、ショート・メッセージ・サービング・ノードとしての第２のモビリティ管理ネットワーク・エレメントの登録を取り消す。
【０１２１】
ステップ６６：ＨＳＳ／ＨＬＲは、ショート・メッセージ・サービング・ノードとしての第２のモビリティ管理ネットワーク・エレメントの登録を取り消し、ショート・メッセージ・サービング・ノードとしての第２のモビリティ管理ネットワーク・エレメントの登録を取り消すためにメッセージを第２のモビリティ管理ネットワーク・エレメントに送信する。
【０１２２】
ステップ６７：サービング・ノードとしての登録を取り消すメッセージを受信した後、第２のモビリティ管理ネットワーク・エレメントは、ローカルにユーザ機器のＳＭＳ登録を取り消し、ＳＭＳサービスを除くユーザ機器のＰＳサービスが第２のモビリティ管理ネットワーク・エレメントを通じてそれでもなお正常に実施され得ることを確実なものとするためにＰＳドメイン登録を留保する。
【０１２３】
ステップ６８：ＨＳＳ／ＨＬＲは、対応するユーザ機器がＭＳＣ／ＶＬＲ登録を実行することをＭＳＣ／ＶＬＲおよび第１のモビリティ管理ネットワーク・エレメントに通知するために、位置更新肯定応答メッセージをＭＳＣ／ＶＬＲおよび第１のモビリティ管理ネットワーク・エレメントに返送し、すなわち、ＨＳＳ／ＨＬＲは、ＳＭＳサービスの宛先ポイントとしてＭＳＣ／ＶＬＲを記録し、ユーザ機器は、ＭＳＣ／ＶＬＲを通じてＳＭＳサービスを実施する。
【０１２４】
ステップ６９：第１のモビリティ管理ネットワーク・エレメントは、ルート・エリア更新許可メッセージをユーザ機器に送信し、この時点までに、ユーザ機器によって開始されたルート・エリア更新処理手順が完了する。
【０１２５】
ステップ６１０：ユーザ機器は、ＬＴＥ側に移動し、第２のモビリティ管理ネットワーク・エレメントへの（コンバインド）トラッキング・エリア更新要求を開始し、ショート・メッセージだけが必要とされることを指示する。
【０１２６】
ステップ６１１：ユーザ機器によって開始された要求を受信した後、第２のモビリティ管理ネットワーク・エレメントは、ユーザ機器が「ＳＭＳ限定」（ショート・メッセージだけが必要とされる）を指示することを決定し、ＰＳ（パケット交換、ＰＳ  ｓｗｉｔｃｈ）加入データは、ショート・メッセージ・サービスを可能にし、そして、第２のモビリティ管理ネットワーク・エレメントがステップ６６において送信されたメッセージを受信したか否かに従って、場合によっては、ＰＳ加入データがショート・メッセージを可能にするか否かと組み合わせて、メッセージをＨＳＳ／ＨＬＲに送信すべきか否かを決定する。
【０１２７】
具体的には、ＨＳＳ／ＨＬＲがＨＳＳ／ＨＬＲとのショート・メッセージ・サービング・ノードとしての第２のモビリティ管理ネットワーク・エレメントの登録を取り消す場合、ＨＳＳ／ＨＬＲは、ＰＳ加入データがショート・メッセージを実施することを可能にするか否かをさらに決定することがあり、ＰＳ加入データがショート・メッセージを実施することを許可する場合、このことは、ユーザ機器がＭＳＣ／ＶＬＲ登録を実行することを指示する。本事例では、メッセージをＨＳＳ／ＨＬＲに送信し、ショート・メッセージ・サービング・ノードとして第２のモビリティ管理ネットワーク・エレメントを登録し、ユーザ機器のＭＳＣ／ＶＬＲ登録を取り消すことが必要とされ、それによって、ＬＴＥ側へ移動するユーザ機器が第２のモビリティ管理ネットワーク・エレメントとしての機能を果たすＭＭＥを通じて、ＳＭＳサービスを実行し得ることを確実なものとする。そうではない場合、ユーザ機器がＭＳＣ／ＶＬＲ登録を実行しないことを指示する。この事例では、メッセージをＨＳＳ／ＨＬＲに送信することが必要とされることなく、すなわち、位置更新要求を開始することが必要とされることなく、ユーザ機器は、ＭＭＥを通じてＳＭＳサービスを直接的に実施することがある。
【０１２８】
ステップ６１１において行われた処理手順から分かるように、ＨＳＳ／ＨＬＲがショート・メッセージ・サービング・ノードのユーザ機器の登録としての第２のモビリティ管理ネットワーク・エレメントの登録を取り消さない場合、すなわち、ユーザ機器がＭＳＣ／ＶＬＲ登録を実行しない場合、位置更新手順は、開始されることがなく、それによって、ネットワーク内で伝送されるシグナリングを削減し、ネットワーク通信リソースを節約する。第２のモビリティ管理ネットワーク・エレメントがショート・メッセージ・サービング・ノードとしての第２のモビリティ管理ネットワーク・エレメントの登録を取り消す場合、すなわち、ユーザ機器がＭＳＣ／ＶＬＲ登録を実行することが決定された場合、ＭＭＥに移動するユーザ機器のＳＭＳサービスがＭＭＥを通じて伝送され得ることを確実なものとするように、位置更新手順を開始し、ユーザ機器によって実行されたＭＳＣ／ＶＬＲ登録を取り消し、ＳＭＳサービスの宛先ポイントとしてＭＭＥを使用することが必要とされる。
【０１２９】
上記実施形態において提供された技術的解決手法を通じて、第２のモビリティ管理ネットワーク・エレメントは、第１のモビリティ管理ネットワーク・エレメントもしくはユーザ機器によって送信された指示情報に従って、ＨＳＳ／ＨＬＲへの位置更新を開始すべきか否かを決定する。たとえば、ユーザ機器がＭＳＣ登録を実行しない場合、位置更新は、ＨＳＳ／ＨＬＲに対して開始されず、その結果、ＨＳＳ／ＨＬＲにおける第２のモビリティ管理ネットワーク・エレメントおよび第１のモビリティ管理ネットワーク・エレメントの２重登録が維持されることがあり、それによって、シグナリングを削減し、ＨＳＳ／ＨＬＲ負荷を低下させる効果を達成するように、第１のモビリティ管理ネットワーク・エレメントと、第２のモビリティ管理ネットワーク・エレメントと、ＨＳＳ／ＨＬＲとの間の相互作用を削減する。相応して、ＩＳＲをアクティブ化すべきか否かのプロセスは、ＩＳＲが必要なときに限りアクティブ化されるように、対応する指示情報に従って柔軟にさらに制御されることがあり、それによって、通信システムにおけるシグナリング相互作用をできる限り削減し、通信システムのリソースを節約する。
【０１３０】
当業者は、上記実施形態による方法における手順の全部または一部が関連ハードウェアに命令するコンピュータプログラムによって達成されることがあることを理解すべきである。プログラムは、コンピュータ読み取り可能な記憶媒体に格納されることがある。プログラムが実行されるとき、上記実施形態による方法の手順が実行されることがある。記憶媒体は、磁気ディスク、光ディスク、リード・オンリー・メモリ（Ｒｅａｄ−Ｏｎｌｙ  Ｍｅｍｏｒｙ、ＲＯＭ）、またはランダム・アクセス・メモリ（Ｒａｎｄｏｍ  Ａｃｃｅｓｓ  Ｍｅｍｏｒｙ、ＲＡＭ）などでもよい。
【０１３１】
本発明の実施形態は、通信ネットワークにおけるシグナリング削減装置をさらに提供する。図７Ａから図７Ｄに示されるように、この装置は、具体的には、以下の処理ユニット、
限定されることなく、メッセージをホーム加入者サーバＨＳＳ／ＨＬＲに送信すべきか否かを指示するために使用される指示情報、または、ＩＳＲをアクティブ化すべきか否かを指示するために使用される指示情報、または、メッセージをＨＳＳ／ＨＬＲに送信すべきか否か、および、ＩＳＲをアクティブ化すべきか否かを指示するために使用される指示情報、または、ユーザ機器が第３のモビリティ管理ネットワーク・エレメントに登録するか否かを指示するために使用される指示情報、または、ユーザ機器もしくは第１のモビリティ管理ネットワーク・エレメントのネットワーク側が、ＰＳドメインにおいて、ショート・メッセージ・サービスをユーザ機器に提供すること、もしくは、ネットワーク側が、ＰＳドメインにおいて、ショート・メッセージ・サービスをユーザ機器に提供しないことを指示するために使用される指示情報を含むことがある指示情報を受信するように構成されている指示情報受信ユニット７１であり、メッセージをＨＳＳもしくはＨＬＲに送信することは、ユーザ機器が第２のモビリティ管理ネットワーク・エレメントを通じてＳＭＳサービスを実施することがあるように、第２のモビリティ管理ネットワーク・エレメントとしてユーザ機器のＳＭＳノードを登録するために使用されることがある、指示情報受信ユニット７１と、
指示情報受信ユニット７１によって受信された指示情報に従って、メッセージをＨＳＳもしくはＨＬＲに送信することと、ＩＳＲをアクティブ化しないこととのうちの少なくとも一方を実行するか、または、メッセージをＨＳＳもしくはＨＬＲに送信しないことと、ＩＳＲがアクティブ化されてもよいことを決定することとのうちの少なくとも一方を実行するかを決定するように構成されている動作実行処理ユニット７２と、
を含むことがある。
【０１３２】
具体的には、動作実行処理ユニット７２によって実行される動作は、具体的には、以下を含むことがある。
指示情報が、ユーザ機器が第３のモビリティ管理ネットワーク・エレメントに登録することを指示するために使用される指示情報であるとき、第２のモビリティ管理ネットワーク・エレメントによって、ＩＳＲをアクティブ化しないこと、または、メッセージをＨＳＳもしくはＨＬＲに送信することのうちの少なくとも一方を実行することを決定する。
あるいは、指示情報が、ユーザ機器が第３のモビリティ管理ネットワーク・エレメントに登録しないことを指示するために使用される指示情報であるとき、第２のモビリティ管理ネットワーク・エレメントによって、ＩＳＲをアクティブ化すること、または、メッセージをＨＳＳもしくはＨＬＲに送信しないことのうちの少なくとも一方が実行されてもよいことを決定する。
あるいは、指示情報が、ネットワーク側が、ＰＳドメインにおいて、ショート・メッセージ・サービスをユーザ機器に提供することを指示するために使用される指示情報であるとき、第２のモビリティ管理ネットワーク・エレメントによって、ＩＳＲをアクティブ化すること、または、メッセージをＨＳＳもしくはＨＬＲに送信しないことのうちの少なくとも一方が実行されてもよいことを決定する。
あるいは、指示情報が、ネットワーク側が、ＰＳドメインにおいて、ショート・メッセージ・サービスをユーザ機器に提供しないことを指示するため使用されるとき、第２のモビリティ管理ネットワーク・エレメントによって、ＩＳＲをアクティブ化しないこと、または、メッセージをＨＳＳもしくはＨＬＲに送信することのうちの少なくとも一方を実行することを決定する。
【０１３３】
場合によっては、図７Ｂに示されるように、指示情報受信ユニット７１は、具体的には、第１の指示情報受信ユニット７１１、または第２の指示情報受信ユニット７１２を含むことがある。
【０１３４】
第１の指示情報受信ユニット７１１は、第１のモビリティ管理ネットワーク・エレメントによって送信された指示情報を受信するように構成され、この指示情報は、ユーザ機器と通信されたメッセージに従って、ユーザ機器が第３のモビリティ管理ネットワーク・エレメントに登録するか否か、または、ネットワーク側が、ＰＳドメインにおいて、ショート・メッセージ・サービスをユーザ機器に提供するか否かが決定された後に、決定結果に従って第１のモビリティ管理ネットワーク・エレメントによって決定される。第１の指示情報受信ユニット７１１は、具体的には、第１のモビリティ管理ネットワーク・エレメントによって送信されたコンテキスト応答メッセージを受信し、コンテキスト応答メッセージからコンテキスト応答メッセージ中で搬送された指示情報を獲得するように構成されることがある。第１のモビリティ管理ネットワーク・エレメントが、ユーザ機器が第３のモビリティ管理ネットワーク・エレメントに登録するか否か、または、ネットワーク側が、ＰＳドメインにおいて、ショート・メッセージ・サービスをユーザ機器に提供するか否かを決定する対応する方法は、以下を含むことがある。
ユーザ機器がコンバインド・ルート更新ＲＡＵおよび位置更新ＬＡＵもしくはＲＡＵを開始するとき、加入データがＰＳ限定強制型もしくはＰＳ限定使用可能型である場合、または、ユーザ機器がＳＭＳ限定を指示し、第１のモビリティ管理ネットワーク・エレメントがショート・メッセージ・サービスに対応する場合、第１のモビリティ管理ネットワーク・エレメントは、ユーザ機器が第３のモビリティ管理ネットワーク・エレメントに登録しないこと、もしくは、ネットワーク側が、ＰＳドメインにおいて、ショート・メッセージ・サービスをユーザ機器に提供すること決定する。あるいは、ユーザ機器がＲＡＵにおいて第１のモビリティ管理ネットワーク・エレメントに対して、ユーザ機器がＬＡＵプロセスを実行するか否かを指示し、ユーザ機器がＬＡＵプロセスを実行する場合、ユーザ機器が第３のモビリティ管理ネットワーク・エレメントに登録すること、もしくは、ネットワーク側が、ＰＳドメインにおいて、ショート・メッセージ・サービスをユーザ機器に提供しないことが決定される。そうではない場合、ユーザ機器が第３のモビリティ管理ネットワーク・エレメントに登録しないこと、もしくは、ネットワーク側が、ＰＳドメインにおいて、ショート・メッセージ・サービスをユーザ機器に提供することが決定される。あるいは、第１のモビリティ管理ネットワーク・エレメントは、ユーザ機器に送信されたメッセージ中で、ユーザ機器がショート・メッセージもしくはＰＳ限定に対応することを指示し、第１のモビリティ管理ネットワーク・エレメントが、ユーザ機器が第３のモビリティ管理ネットワーク・エレメントに登録しないこと、もしくは、ネットワーク側が、ＰＳドメインにおいて、ショート・メッセージ・サービスをユーザ機器に提供することを決定する。
【０１３５】
第２の指示情報受信ユニット７１２は、ユーザ機器によって送信された指示情報を受信するように構成され、この指示情報は、ユーザ機器が第３のモビリティ管理ネットワーク・エレメントに登録するか否か、もしくは、ネットワーク側が、ＰＳドメインにおいて、ショート・メッセージ・サービスをユーザ機器に提供するか否かが決定された後に決定結果に従ってユーザ機器によって決定される。第２の指示情報受信ユニット７１２は、第２のモビリティ管理ネットワーク・エレメントに対して開始され、ユーザ機器によって送信されたＴＡＵ要求メッセージを受信し、ＴＡＵ要求メッセージからＴＡＵ要求メッセージ中で搬送された指示情報を獲得する。ユーザ機器が、ユーザ機器が第３のモビリティ管理ネットワーク・エレメントに登録するか否か、もしくは、ネットワーク側が、ＰＳドメインにおいて、ショート・メッセージ・サービスをユーザ機器に提供するか否かを決定する方法は、以下を含むことがある。
ユーザが第３のモビリティ管理ネットワーク・エレメントへの登録を開始しないか、または、第３のモビリティ管理ネットワーク・エレメントへの登録に成功しない場合、ユーザ機器は、第３のモビリティ管理ネットワーク・エレメントに登録しないことが決定される。あるいは、ユーザ機器がコンバインドＲＡＵもしくはＬＡＵを開始し、かつ、ＳＭＳ限定を開始することが決定され、受信されたＲＡＵ許可ＲＡＵ  ＡｃｃｅｐｔメッセージがＳＭＳ対応を指示する場合、ユーザ機器が第３のモビリティ管理ネットワーク・エレメントに登録しないこと、もしくは、ネットワーク側が、ＰＳドメインにおいて、ショート・メッセージ・サービスをユーザ機器に提供することが決定される。
【０１３６】
第１の指示情報受信ユニット７１１および指示情報受信ユニット７１２では、ユーザ機器が第３のモビリティ管理ネットワーク・エレメントに登録する、もしくは、ネットワーク側が、ＰＳドメインにおいて、ショート・メッセージ・サービスをユーザ機器に提供しないとき、対応する指示情報は、ＩＳＲをアクティブ化しないことと、メッセージをＨＳＳもしくはＨＬＲに送信することとのうちの少なくとも一方を実行することを第２のモビリティ管理ネットワーク・エレメントに命令するために使用され、または、ユーザ機器が第３のモビリティ管理ネットワーク・エレメントに登録すること、もしくは、ネットワーク側が、ＰＳドメインにおいて、ショート・メッセージ・サービスをユーザ機器に提供しないことを指示するために使用される。ユーザ機器が第３のモビリティ管理ネットワーク・エレメントに登録しない、もしくは、ネットワーク側が、ＰＳドメインにおいて、ショート・メッセージ・サービスをユーザ機器に提供する場合、対応する指示情報は、ＩＳＲがアクティブ化されてもよいことを決定することと、メッセージをＨＳＳもしくはＨＬＲに送信しないこととのうちの少なくとも一方を実行することを第２のモビリティ管理ネットワーク・エレメントに命令するために使用され、または、ユーザ機器が第３のモビリティ管理ネットワーク・エレメントに登録しないこと、もしくは、ネットワーク側が、ＰＳドメインにおいて、ショート・メッセージ・サービスをユーザ機器に登録することを指示するために使用される。
【０１３７】
場合によっては、図７Ｃに示されるように、動作実行処理ユニット７２は、メッセージ送信処理ユニット７２１、またはＩＳＲアクティブ化ユニット７２２、またはメッセージ送信およびＩＳＲアクティブ化処理ユニット７２３を含む。
【０１３８】
メッセージ送信処理ユニット７２１は、指示情報受信ユニット７１によって受信された指示情報がメッセージをＨＳＳもしくはＨＬＲに送信することを指示するために使用される場合、メッセージをＨＳＳに送信し、対応する指示情報がメッセージをＨＳＳもしくはＨＬＲに送信しないことを指示する場合、メッセージをＨＳＳもしくはＨＬＲに送信しないように構成されている。対応する指示情報が、ユーザ機器が第３のモビリティ管理ネットワーク・エレメントに登録すること、もしくは、ネットワーク側が、ＰＳドメインにおいて、ショート・メッセージ・サービスをユーザ機器に提供しないことを指示するために使用される場合、メッセージをＨＳＳもしくはＨＬＲに送信し、対応する指示情報が、ユーザ機器が第３のモビリティ管理ネットワーク・エレメントに登録しないこと、もしくは、ネットワーク側が、ＰＳドメインにおいて、ショート・メッセージ・サービスをユーザ機器に提供することを指示するために使用される場合、メッセージをＨＳＳもしくはＨＬＲに送信しないように構成されている。
【０１３９】
ＩＳＲアクティブ化処理ユニット７２２は、指示情報受信ユニット７１によって受信された指示情報が、ＩＳＲがアクティブ化されてもよいことを決定することを指示するために使用される場合、ＩＳＲをアクティブ化し、対応する指示情報がＩＳＲをアクティブ化しないことを指示するために使用される場合、ＩＳＲをアクティブ化しないように構成されている。ＳＧＷは、第２のモビリティ管理ネットワーク・エレメントとのシグナリング相互作用を実行するが、第１のモビリティ管理ネットワーク・エレメントとの相互作用を実行することなく、それによって、第１のモビリティ管理ネットワーク・エレメント側でリソースを節約する。対応する指示情報が、ユーザ機器が第３のモビリティ管理ネットワーク・エレメントに登録しないこと、もしくは、ネットワーク側が、ＰＳドメインにおいて、ショート・メッセージ・サービスをユーザ機器に提供することを指示するために使用される場合、ＩＳＲをアクティブ化し、対応する指示情報が、ユーザ機器が第３のモビリティ管理ネットワーク・エレメントに登録すること、もしくは、ネットワーク側が、ＰＳドメインにおいて、ショート・メッセージ・サービスをユーザ機器に提供しないことを指示するために使用される場合、ＩＳＲをアクティブ化しないように構成されている。
【０１４０】
メッセージ送信およびＩＳＲアクティブ化処理ユニット７２３は、指示情報受信ユニット７１によって受信された指示情報がメッセージをＨＳＳに送信し、ＩＳＲをアクティブ化しないことを指示するために使用される場合、メッセージをＨＳＳもしくはＨＬＲに送信し、ＩＳＲをアクティブ化しないように、そして、対応する指示情報がメッセージをＨＳＳもしくはＨＬＲに送信しないこと、および、ＩＳＲがアクティブ化されてもよいことを決定することを指示するために使用される場合、メッセージをＨＳＳもしくはＨＬＲに送信することなく、かつ、ＩＳＲをアクティブ化するように構成されている。対応する指示情報が、ユーザ機器が第３のモビリティ管理ネットワーク・エレメントに登録しないこと、もしくは、ネットワーク側が、ＰＳドメインにおいて、ショート・ネッセージ・サービスをユーザ機器に提供することを指示するために使用される場合、メッセージをＨＳＳもしくはＨＬＲに送信することなく、かつ、ＩＳＲをアクティブ化するように、そして、対応する指示情報が、ユーザ機器が第３のモビリティ管理ネットワーク・エレメントに登録すること、もしくは、ネットワーク側が、ＰＳドメインにおいて、ショート・メッセージ・サービスをユーザ機器に提供しないことを指示するために使用される場合、メッセージをＨＳＳもしくはＨＬＲに送信し、かつ、ＩＳＲをアクティブ化しないように構成されている。
【０１４１】
装置において、メッセージをＨＳＳ／ＨＬＲに送信することを実行するとき、装置は、第２のモビリティ管理ネットワーク・エレメントとしての機能を果たすＭＭＥに配置されることがあり、対応する第１のモビリティ管理ネットワーク・エレメントは、ＳＧＳＮを含み、第３のモビリティ管理ネットワーク・エレメントは、ＭＳＣ／ＶＬＲを含む。あるいは、ＩＳＲをアクティブ化することを実行するとき、装置は、第２のモビリティ管理ネットワーク・エレメントのＭＭＥもしくはＳＧＳＮに配置され、対応する第１のモビリティ管理ネットワーク・エレメントは、ＳＧＳＮもしくはＭＭＥを含み（具体的には、第２のモビリティ管理ネットワーク・エレメントがＭＭＥである場合、第１のモビリティ管理ネットワーク・エレメントは、ＳＧＳＮであり、第２のモビリティ管理ネットワーク・エレメントがＳＧＳＮである場合、第１のモビリティ管理ネットワーク・エレメントは、ＭＭＥであり）、第３のモビリティ管理ネットワーク・エレメントは、ＭＳＣ／ＶＬＲを含む。
【０１４２】
場合によっては、指示情報受信ユニット７１によって実行される処理手順および動作実行処理ユニット７２によって実行される処理手順は、必ずしも連続した処理手順でなくてもよいので、図７Ｄに示されるように、装置は、指示情報が受信された後、指示情報に従って対応するマークを設定するように構成されているマーク設定ユニット７３をさらに含むことがある。マークは、メッセージをＨＳＳもしくはＨＬＲに送信しないことと、ＩＳＲをアクティブ化しないこととのうちの少なくとも一方を実行すべきか否か、または、メッセージをＨＳＳもしくはＨＬＲに送信しないことと、ＩＳＲがアクティブ化されてもよいことを決定することとのうちの少なくとも一方を実行すべきか否かを動作実行処理ユニット７２に命令するために使用され、その結果、対応するマークが指示情報に従って設定される限り、動作実行処理ユニット７２は、対応する動作を実行すべきか否かを決定するために必要とされたとき、マークに従って対応する決定動作を実行することがある。
【０１４３】
本発明の実施形態は、通信ネットワークにおける別のシグナリング削減装置をさらに提供する。図７Ｅに示されるように、この装置は、
ＳＭＳ登録を取り消すことに関してＨＳＳもしくはＨＬＲによって送信された通知を受信するように構成されている登録取消通知受信ユニット７４と、
登録取消通知受信ユニット７４によって受信された通知に従って、メッセージをＨＳＳもしくはＨＬＲに送信すること、および／または、ＩＳＲをアクティブ化しないことを決定するように構成され、場合によっては、登録取消通知受信ユニット７４が通知を受信しない場合、メッセージをＨＳＳもしくはＨＬＲに送信しないことを決定し、および／または、ＩＳＲがアクティブ化されてもよいことを決定する動作実行ユニット７５と、
を含む。
【０１４４】
相応して、ＨＳＳ／ＨＬＲについて、登録取消通知受信ユニット７４がＳＭＳ登録を取り消すことに関して通知を受信したことを決定する方法は、以下を含むことがある。ユーザ機器が第３のモビリティ管理ネットワーク・エレメント側に登録することを得た後、ＨＳＳもしくはＨＬＲは、第２のモビリティ管理ネットワーク・エレメント側でＳＭＳ登録を取り消し、ＳＭＳ登録を取り消すことに関する通知を第２のモビリティ管理ネットワーク・エレメントに送信し、その結果、第２のモビリティ管理ネットワーク・エレメント内の登録取消通知受信ユニット７４は、この通知を受信することがある。第２のモビリティ管理ネットワーク・エレメントは、通知が受信されたか否かに従って、メッセージをＨＳＳもしくはＨＬＲに送信することを実行すべきか否か、および／または、ＩＳＲをアクティブ化すべきか否かを正しく選択することがあり、それ故に、ユーザ機器が第３のモビリティ・ネットワーク・エレメントに登録する事例に限り（この事例に限り、第２のモビリティ管理ネットワーク・エレメント上の登録取消通知受信ユニット７４がＳＭＳ登録を取り消すことに関する通知を受信する可能性がある）、メッセージをＨＳＳもしくはＨＬＲに送信する、および／または、ＩＳＲをアクティブ化しない動作が実行されることが確実なものとされ、それによって、通信システムにおいて相互作用されるシグナリングを削減し、通信システムにおける通信リソースを節約する。
【０１４５】
本発明の実施形態は、ユーザ機器をさらに提供し、ユーザ機器の具体的な実施構成は、図８に示され、ユーザ機器は、
指示情報を第２のモビリティ管理ネットワーク・エレメントに送信するように構成されている通知情報送信ユニット８１を含む。対応する指示情報は、メッセージをＨＳＳもしくはＨＬＲに送信することと、ＩＳＲをアクティブ化しないこととのうちの少なくとも一方を指示するために、または、メッセージをＨＳＳもしくはＨＬＲに送信しないことと、ＩＳＲがアクティブ化されてもよいことを決定することとのうちの少なくとも一方を実行することを指示するために使用される。対応する指示情報送信ユニット８１は、具体的には、限定されることなく、第２のモビリティ管理ネットワーク・エレメントに対して開始されたアクセス要求メッセージ中で指示情報を搬送し、アクセス要求メッセージを第２のモビリティ管理ネットワーク・エレメントに送信するように構成されることがある。
【０１４６】
ユーザ機器において、対応する指示情報は、限定されることなく、メッセージをＨＳＳもしくはＨＬＲに送信すること、または、メッセージをＨＳＳもしくはＨＬＲに送信しないことを指示するために使用される指示情報、または、ＩＳＲがアクティブ化されてもよいことを指示し、かつ、ＩＳＲをアクティブ化しないことを指示するために使用される指示情報、または、メッセージをＨＳＳもしくはＨＬＲに送信し、かつ、ＩＳＲをアクティブ化しないこと、または、メッセージをＨＳＳもしくはＨＬＲに送信することなく、かつ、ＩＳＲをアクティブ化することを指示するために使用される指示情報、または、ユーザ機器が第３のモビリティ管理ネットワーク・エレメントに登録すること、もしくは、ユーザ機器が第３のモビリティ管理ネットワーク・エレメントに登録しないこと指示するために使用される指示情報を含むことがある。
【０１４７】
場合によっては、ユーザ機器は、判断ユニット８２および指示情報決定ユニット８３をさらに含むことがある。
【０１４８】
判断ユニット８２は、ユーザ機器が第３のモビリティ管理ネットワーク・エレメントに登録するか否かを決定するように構成されている。判断ユニットが、ユーザ機器が第３のモビリティ管理ネットワーク・エレメントに登録するか否かを決定する方法は、限定されることなく、以下を含むことがある。
【０１４９】
ユーザ機器が第３のモビリティ管理ネットワーク・エレメントへの登録を開始しない、もしくは、ユーザ機器が第３のモビリティ管理ネットワーク・エレメントに登録できなかった場合、ユーザ機器によって、ユーザ機器が第３のモビリティ管理ネットワーク・エレメントに登録しないこと、もしくは、ネットワーク側が、ＰＳドメインにおいて、ショート・メッセージ・サービスをユーザ機器に提供することを決定する。
あるいは、ユーザ機器によって、ショート・メッセージが対応されていること、もしくは、ネットワーク側が、ＰＳドメインにおいて、ショート・メッセージ・サービスをユーザ機器に提供することを指示するためにコンバインドＲＡＵもしくはＬＡＵを開始し、受信されたＲＡＵ許可ＲＡＵ  ＡｃｃｅｐｔメッセージがＳＭＳ対応を指示する場合、ユーザ機器によって、ユーザ機器が第３のモビリティ管理ネットワーク・エレメントに登録しないこと、もしくは、ネットワーク側が、ＰＳドメインにおいて、ショート・メッセージ・サービスをユーザに提供することを決定する。
【０１５０】
指示情報決定ユニット８３は、指示情報を指示情報送信ユニット８１に提供するように、ユーザ機器が第３のモビリティ管理ネットワーク・エレメントに登録するか否かに関する判断ユニット８２の決定結果に従って対応する指示情報を決定するように構成されている。
【０１５１】
本実施形態では、ユーザ機器と通信している第２のモビリティ管理ネットワーク・エレメントは、図７Ａから図７Ｄに示されるように、通信ネットワークにおけるシグナリング削減装置と共に配置されることがある。
【０１５２】
本発明の上記実施形態の実施は、ＨＳＳ／ＨＬＲがＭＭＥをショート・メッセージの宛先ポイントに設定するように、ＭＭＥがメッセージをＨＳＳ／ＨＬＲに正しく送信することを可能にすることがあり、その結果、ユーザがＬＴＥに戻った後にショート・メッセージを正常に受信できることが確実なものとされ、さらに、ＭＭＥがメッセージを必要なときに限りＨＳＳ／ＨＬＲに送信することが確実なものとされ、それによって、ＭＭＥとＨＳＳ／ＨＬＲとの間のシグナリング相互作用を削減する。その上、ＭＭＥまたはＳＧＳＮのようなエンティティは、指示情報に従って正しくＩＳＲをさらにアクティブ化することがあり、それによって、通信システムにおける通信リソースを節約し、通信システムの通信性能を改善するように、ＳＧＷとＳＧＮＳ／ＭＭＥとの間の不必要なシグナリング相互作用を回避する。
【０１５３】
以上の説明は、本発明の単なる例証的な実施方法であり、本発明の保護範囲を限定することは意図されていない。本発明において開示された技術的範囲内で当業者によって容易に行われることがある変形または置換は、当然、本発明の保護範囲に含まれるものとする。その結果、本発明の保護範囲は、当然、請求項の保護範囲に従うものとする。
【図１】
0006033401.tif 000002
【図２】
0006033401.tif 000003
【図３】
0006033401.tif 000004
【図４Ａ】
0006033401.tif 000005
【図４Ｂ】
0006033401.tif 000006
【図５Ａ】
0006033401.tif 000007
【図５Ｂ】
0006033401.tif 000008
【図６】
0006033401.tif 000009
【図７Ａ】
0006033401.tif 000010
【図７Ｂ】
0006033401.tif 000011
【図７Ｃ】
0006033401.tif 000012
【図７Ｄ】
0006033401.tif 000013
【図７Ｅ】
0006033401.tif 000014
【図８】
0006033401.tif 000015